(57)【要約】      （修正有）【課題】収納部と収納部に対して出し入れする引き出し部とを有する包装箱において、引き出し部の出し入れがスムーズにでき、引き出し部の出し入れによる引き出し部の損傷が少ない包装箱を提供する。【解決手段】包装箱５−１は、四角筒状を筒状部分を有する収納部１０と、収納部１０に対して挿脱される引き出し部４０とを有し、引き出し部４０は、底面部４４と、略台形形状の側面部４６、５８、背面部７０及び正面部とを有し、全体にトレー状を呈するする本体部４３と、本体部４３から連設された引き手部７６とを有し、略台形形状の側面部４６、５８、背面部７０及び正面部は、上側にいくほど外側となるように傾斜している。引き手部７６は、正面部から連設された上面部７８と、上面部７８から連設された正面部と、該正面部から連設された下面部等を有している。【選択図】図３
0003193655.tif 000002
【実用新案登録請求の範囲】
【請求項１】
包装箱であって、
１枚のシート状のブランクにより形成された収納部で、略長方形状の板状を呈する収納部第１側面部（１２、２０８）と、略長方形状の板状を呈し、収納部第１側面部に対して略平行な収納部第２側面部（１８、２１６）と、収納部第１側面部の下部側の辺部と収納部第２側面部の下部側の辺部との間に形成され、略長方形状の板状を呈し、収納部第１側面部及び収納部第２側面部に対して略直角の収納部底面部（２０、２１８）と、収納部第１側面部の上部側の辺部と収納部第２側面部の上部側の辺部との間に形成され、略長方形状の板状を呈し、収納部第１側面部及び収納部第２側面部に対して略直角の収納部上面部（１４、２１０）とを有し、収納部第１側面部と収納部第２側面部と収納部底面部と収納部上面部とにより筒状に形成された収納部（１０）と、
１枚のシート状のブランクにより形成され、収納部内に収納されるとともに収納部の開口を通して挿脱される引き出し部で、被包装物を収納するための本体部（４３、１３３、２２８）と、引き手部（７６、１５８、２６４）とを有し、
本体部が、
略長方形状の本体部底面部で、右側面側の辺部と、左側面側の辺部と、背面側の辺部と、正面側の辺部とを有する本体部底面部（４４、１３４、２３０）と、
本体部底面部の右側面側の辺部から第１折れ線（Ｃ９、Ｃ３０、Ｃ３１、Ｃ６０）を介して連設された本体部右側面部（４６、１３６）と、
本体部底面部の左側面側の辺部から第２折れ線（Ｃ１３、Ｃ３２、Ｃ３３、Ｃ６１）を介して連設された本体部左側面部（５８、１４４）と、
本体部底面部の背面側の辺部から第３折れ線（Ｃ１７、Ｃ３４、Ｃ６２）を介して連設された略台形形状の本体部背面部で、右側面側の略直線状の辺部（７０ａ、１５２ａ、２４８ａ）が第３折れ線となす角度である第１角度（α５、α１５、α３３）が鈍角であり、左側面側の略直線状の辺部（７０ｂ、１５２ｂ、２４８ｂ）が第３折れ線となす角度である第２角度（α６、α１６）が鈍角である本体部背面部（７０、１５２、２４８）と、
本体部底面部の正面側の辺部から第４折れ線（Ｃ１８、Ｃ１９、Ｃ３５、Ｃ３６、Ｃ６３、Ｃ６４、Ｃ６５）を介して連設された略台形形状の本体部正面部で、右側面側の略直線状の辺部（７２ａ、１５４ａ、２５４ａ）が第４折れ線となす角度である第３角度（α７、α１７、α３５）が鈍角であり、左側面側の略直線状の辺部（７２ｂ、１５４ｂ、２５４ｂ）が第４折れ線となす角度である第４角度（α８、α１８、α３６）が鈍角である本体部正面部（７２、１５４、２５４）とを有し、
第１角度の大きさと第２角度の大きさと第３角度の大きさと第４角度の大きさとが、略同一に形成され、本体部右側面部と本体部左側面部と本体部背面部と本体部正面部とが、本体部底面部に対して折り曲げられ、本体部右側面部と本体部左側面部と本体部背面部と本体部正面部とにおける隣接する各部が糊代部を介して連結され、本体部右側面部が、本体部底面部側から上部側に行くに従い本体部底面部の外側に傾斜し、本体部左側面部が、本体部底面部側から上部側に行くに従い本体部底面部の外側に傾斜しており、
引き手部が、
本体部正面部の上部側の辺部から第５折れ線（Ｃ２０、Ｃ３７、Ｃ６６）を介して連設された引き手部上面部で、本体部正面部に対して正面側に折り曲げられた引き手部上面部（７８、１６０、２６６）と、
引き手部上面部の正面側の辺部から第６折れ線（Ｃ２１、Ｃ２２、Ｃ３８、Ｃ３９、Ｃ６７、Ｃ６８）を介して連設された引き手部正面部で、引き手部上面部に対して下部側に折り曲げられた引き手部正面部（８０、１６２、２６８）と、
引き手部正面部の下部側の辺部から第７折れ線（Ｃ２９、Ｃ４４、Ｃ４５、Ｃ６９、Ｃ７０）を介して連設された引き手部下面部本体（１００、１７８、２７８）と、引き手部下面部本体の先端側の辺部から連設された第１突状部（１１０、２８０、２８２）とを有する引き手部下面部で、引き手部正面部に対して背面側に折り曲げられた引き手部下面部（９８、１７６、２７６）とを有し、
本体部底面部と本体部正面部との境界位置には、第１切込み（Ｋ７４、Ｋ１５６、Ｋ２５６、Ｋ２５８）が形成され、第１突状部を第１切込みに差し込むことにより引き手部下面部の先端側が本体部に固定される引き出し部（４２、１３２、２２６ａ、２２６ｂ）と、
を有することを特徴とする包装箱。
【請求項２】
本体部右側面部が略台形形状であり、本体部右側面部の正面側の略直線状の辺部（４６ａ、１３６ａ、２４４ａ）が第１折れ線となす角度である第５角度（α１、α１１、α２９）が鈍角であり、本体部右側面部の背面側の略直線状の辺部（４６ｂ、１３６ｂ、２４４ｂ）が第１折れ線となす角度である第６角度（α２、α１２、α３０）が鈍角であり、
本体部左側面部が略台形形状であり、本体部左側面部の正面側の略直線状の辺部（５８ａ、１４４ａ、２４６ａ）が第２折れ線となす角度である第７角度（α３、α１３、α３１）が鈍角であり、本体部左側面部の背面側の略直線状の辺部（５８ｂ、１４４ｂ、２４６ｂ）が第２折れ線となす角度である第８角度（α４、α１４、α３２）が鈍角であり、
第５角度の大きさと第６角度の大きさと第７角度の大きさと第８角度の大きさとが、第１角度の大きさと略同一に形成されていることを特徴とする請求項１に記載の包装箱。
【請求項３】
本体部右側面部の正面側の辺部から折れ線を介して連設された糊代部（５６、１４２）が、本体部正面部の外側の面に接着され、
本体部左側面部の正面側の辺部から折れ線を介して連設された糊代部（６８、１５０）が、本体部正面部の外側の面に接着され、
本体部右側面部の背面側の辺部から折れ線を介して連設された糊代部（５４、１４０）が、本体部背面部の外側の面に接着され、
本体部左側面部の背面側の辺部から折れ線を介して連設された糊代部（６６、１４８）が、本体部背面部の外側の面に接着されていることを特徴とする請求項１又は２に記載の包装箱。
【請求項４】
本体部正面部の右側面側の辺部から折れ線を介して連設された糊代部（２６０）が、本体部右側面部の外側の面に接着され、
本体部正面部の左側面側の辺部から折れ線を介して連設された糊代部（２６２）が、本体部左側面部の外側の面に接着され、
本体部背面部の右側面側の辺部から折れ線を介して連設された糊代部（２５０）が、本体部右側面部の外側の面に接着され、
本体部背面部の左側面側の辺部から折れ線を介して連設された糊代部（２５２）が、本体部左側面部の外側の面に接着されていることを特徴とする請求項１又は２に記載の包装箱。
【請求項５】
引き手部正面部が、引き手部上面部の正面側から連設された引き手部正面部本体（８２、１６４、２７０）と、引き手部正面部本体の上部側の辺部から連設された第２突状部で、引き手部上面部との境界位置に第２切込み（Ｋ８４、Ｋ１６６、Ｋ２７２）を形成することにより設けられた第２突状部（８４、１６６、２７２）とを有し、収納部に収納された引き出し部を引き出す際に、第２突状部に指を係止して使用することを特徴とする請求項１又は２又は３又は４又に記載の包装箱。
【請求項６】
引き手部正面部が、引き手部正面部本体の下部側の辺部から連設された第３突状部で、引き手部下面部との境界位置に第３切込み（Ｋ２７４）を形成することにより設けられた第３突状部（２７４）とを有し、収納部に収納された引き出し部を引き出す際に、第３突状部に指を係止して使用することを特徴とする請求項５に記載の包装箱。
【請求項７】
引き手部正面部と引き手部下面部との境界位置には、穴部（１８２）が形成され、収納部に収納された引き出し部を引き出す際に、該穴部に指を係止して使用することを特徴とする請求項１又は２又は３又は４又は５に記載の包装箱。
【請求項８】
引き手部が、
引き手部正面部の右側面側の辺部から第８折れ線（Ｃ２３）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α９）が鈍角である引き手部右側面部背面側辺部とを有する引き手部右側面部（８６）と、
引き手部正面部の左側面側の辺部から第９折れ線（Ｃ２６）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α１０）が鈍角である引き手部左側面部背面側辺部とを有する引き手部左側面部（９２）と、
引き手部右側面部の引き手部右側面部上辺部から折れ線を介して連設された第１片部（８８）と、
引き手部右側面部の引き手部右側面部下辺部から折れ線を介して連設された第２片部（９０）と、
引き手部左側面部の引き手部左側面部上辺部から折れ線を介して連設された第３片部（９４）と、
引き手部左側面部の引き手部左側面部下辺部から折れ線を介して連設された第４片部（９６）と、
を有し、
第１突状部を第１切込みに差し込んで引き手部下面部の先端側を本体部に固定した状態において、第１片部と第３片部とが引き手部上面部の内側の面に接し、第２片部と第４片部とが引き手部下面部の内側の面に接し、
第９角度及び第１０角度が、上記第５角度と略同一であることを特徴とする請求項１又は２又は３又は４又は５又は６又は７に記載の包装箱。
【請求項９】
引き手部が、引き手部下面部の引き手部正面部とは反対側の辺部から折れ線を介して連設された補強フラップ（１８４）と、
引き手部正面部の右側面側の辺部から第８折れ線（Ｃ４０）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α１９）が鈍角である引き手部右側面部背面側辺部とを有する引き手部右側面部（１６８）と、
引き手部正面部の左側面側の辺部から第９折れ線（Ｃ４２）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α２０）が鈍角である引き手部左側面部背面側辺部とを有する引き手部左側面部（１７２）と、
引き手部右側面部の引き手部右側面部背面側辺部から折れ線を介して連設された第５片部（１７０）と、
引き手部左側面部の引き手部右側面部背面側辺部から折れ線を介して連設された第６片部（１７４）と、
を有し、
第５片部と第６片部とが補強フラップに接着されており、
第９角度及び第１０角度が、上記第５角度と略同一であることを特徴とする請求項１又は２又は３又は４又は５又は６又は７に記載の包装箱。
【請求項１０】
引き出し部には、板状の仕切り部本体（１１４、１２０、１２６）と、仕切り部本体の右側面側の辺部から連設された板状の第４突状部（１１６ａ、１２２ａ、１２８ａ）と、仕切り部本体の左側面側の辺部から連設された板状の第５突状部（１１６ｂ、１２２ｂ、１２８ｂ）とを有する仕切り部（１１２、１１８、１２４）が設けられ、
本体部右側面部が、
仕切り部の右側面側を支持するための第１仕切り支持部で、本体部右側面部の上下方向に直線状に形成された第４切込み（Ｋ４８ａ、Ｋ５０ａ、Ｋ５２ａ）と、第４切込みの下端から正面側斜め上方に傾斜して形成され、第４切込みの長さよりも長さが短い第５切込み（Ｋ４８ｂ、Ｋ５０ｂ、Ｋ５２ｂ）と、第４切込みの上端と第５切込みの上端間に形成された第１０折れ線（Ｃ１０、Ｃ１１、Ｃ１２）とで囲まれた領域により形成された第１仕切り支持部（４８，５０、５２）を有し、
本体部左側面部が、
仕切り部の左側面側を支持するための第２仕切り支持部で、本体部左側面部の上下方向に直線状に形成された第６切込み（Ｋ６０ａ、Ｋ６２ａ、Ｋ６４ａ）と、第６切込みの下端から背面側斜め上方に傾斜して形成され、第６切込みの長さよりも長さが短い第７切込み（Ｋ６０ｂ、Ｋ６２ｂ、Ｋ６４ｂ）と、第６切込みの上端と第７切込みの上端間に形成された第１１折れ線（Ｃ１４，Ｃ１５，Ｃ１６）とで囲まれた領域により形成された第２仕切り支持部（６０、６２，６４）を有し、
仕切り部の第４突状部が本体部右側面部の第４切込みに差し込まれ、仕切り部の第５突状部が本体部左側面部の第６切込みに差し込まれて、仕切り部が引き出し部に固定され、仕切り部が引き出し部に固定された状態では、第４突状部及び第１仕切り部支持部は、左右方向には本体部右側面部の上端よりも左側面側にあり、第５突状部及び第２仕切り部支持部は、左右方向には本体部左側面部の上端よりも右側面側にあることを特徴とする請求項１又は２又は３又は４又は５又は６又は７又は８又は９に記載の包装箱。
【請求項１１】
引き出し部には、本体部底面部に敷設するための中敷き部で、前後方向に配列された複数の敷き板部（１８８、１９６、２０４）と、複数の敷き板部における隣接する敷き板部間に設けられた仕切り部（１９０、１９８）とを有し、１枚のシート状のブランクにより形成された中敷き部（１８６）が設けられ、
仕切り部が、隣接する２つの敷き板部の一方から折れ線（Ｃ４６、Ｃ５１）を介して連設された第１仕切り部本体（１９２、２０２）と、隣接する２つの敷き板部の他方から折れ線（Ｃ４７、Ｃ５０）を介して連設されるとともに、第１仕切り部本体から折れ線を介して連設された第２仕切り部本体（１９４、２００）とを有し、第１仕切り部本体と第２仕切り部本体とが第１仕切り部本体と第２仕切り部本体の上側において山折りすることにより仕切り部が立設し、
少なくとも１つの敷き板部が、右側面側の辺部から突出した第６突状部（１８８ｂ）と、左側面側の辺部から突出した第７突状部（１８８ｃ）とを有し、
本体部底面部と本体部右側面部との境界位置には、中敷き部の第６突状部を差し込むための第８切込み（Ｋ１３８）が形成され、本体部底面部と本体部左側面部との境界位置には、中敷き部の第７突状部を差し込むための第９切込み（Ｋ１４６）が形成されていることを特徴とする請求項１又は２又は３又は４又は５又は６又は７又は８又は９に記載の包装箱。
【請求項１２】
収納部が、一対の開口部における一方を閉塞するための蓋構成部（２６）を有し、引き出し部は、他方の開口を通して挿脱されることを特徴とする請求項１又は２又は３又は４又は５又は６又は７又は８又は９又は１０又は１１に記載の包装箱。
【請求項１３】
包装箱には一対の引き出し部が設けられ、一方の引き出し部は、収納部における一方の開口を通して挿脱され、他方の引き出し部は、収納部における他方の開口を通して挿脱され、一対の引き出し部における各引き出し部が、引き手部を外側にして収納部内に収納されることを特徴とする請求項１又は２又は３又は４又は５又は６又は７又は８又は９又は１０又は１１に記載の包装箱。
【請求項１４】
収納部上面部と収納部底面部における前後方向の端部領域で、引き出し部を収納部に収納した際に、引き手部が位置する領域には、切欠部（１６、２２、２１２、２１４、２２０、２２２）が設けられ、指で引き出し部を引き出す際に、該切欠部を介して指が引き手部に接することを特徴とする請求項１又は２又は３又は４又は５又は６又は７又は８又は９又は１０又は１１又は１２又は１３に記載の包装箱。
【考案の詳細な説明】
【技術分野】
【０００１】
本考案は、包装箱に関するものであり、特に、シート状のブランクにより形成された引き出し式の包装箱に関するものである。
【背景技術】
【０００２】
従来より、包装箱であって、紙材により形成され、四角筒状の収納部と、収納部に収納されるトレー状の引き出し部とを有する包装箱が存在する。例えば、下記特許文献１には、底面板の４辺に前、後面板、両側板が起立する中舟部Ａ（引き出し部）と、上、底壁、両側壁が連なる筒状外枠部Ｂ（収納部）とを有している中舟式カートンが記載されている。また、下記特許文献２には、角筒状の外ケース１（収納部）と、外ケース内に挿脱自在な内ケース２（引き出し部）とを有している収納ケースが記載されている。
【先行技術文献】
【特許文献】
【０００３】
【特許文献１】実公昭６２−１５１３２号公報
【特許文献２】実開昭５３−１２９６２４号公報
【考案の概要】
【考案が解決しようとする課題】
【０００４】
しかし、上記各特許文献に記載のものに限らず、引出し式の包装箱には、以下の問題があった。まず、包装箱が比較的小型の場合、一方の手で収納部を両側方から挟持し、他方の手で引き出し部を収納部から引き出すことから、収納部の側面部の内側の面部が、引き出し部の側面部の外側の面部に押し付けられ、両面部間の摩擦力が増大し、摺動が阻害されて、引き出し部を収納部からスムーズに引き出すことができなかった。
【０００５】
また、小型のものに限らず、一般に収納部は、４つの面部（特許文献１においては、側壁１２、底壁１３、側壁１４、上壁１５）と、糊代部（特許文献１においては、貼着片１６）とを有していて、糊代部は、収納部を構成している上記４つ面部のいずれかの面部の内側に貼着されているため、一端完全に引き抜いた引き出し部を収納部に再度押し入れる場合、引き出し部が糊代部に引っ掛かって、スムーズに押し入れられないばかりか、その都度、形成紙材に負担が掛かり、材料疲労による包装箱の強度低下や損傷が発生した。
【０００６】
そこで、本考案は、収納部と収納部に対して出し入れする引き出し部とを有する包装箱において、引き出し部の出し入れがスムーズにでき、引き出し部の出し入れによる引き出し部の損傷が少ない包装箱を提供することを目的とする。
【課題を解決するための手段】
【０００７】
本考案は上記問題点を解決するために創作されたものであって、第１には、包装箱であって、１枚のシート状のブランクにより形成された収納部で、略長方形状の板状を呈する収納部第１側面部（１２、２０８）と、略長方形状の板状を呈し、収納部第１側面部に対して略平行な収納部第２側面部（１８、２１６）と、収納部第１側面部の下部側の辺部と収納部第２側面部の下部側の辺部との間に形成され、略長方形状の板状を呈し、収納部第１側面部及び収納部第２側面部に対して略直角の収納部底面部（２０、２１８）と、収納部第１側面部の上部側の辺部と収納部第２側面部の上部側の辺部との間に形成され、略長方形状の板状を呈し、収納部第１側面部及び収納部第２側面部に対して略直角の収納部上面部（１４、２１０）とを有し、収納部第１側面部と収納部第２側面部と収納部底面部と収納部上面部とにより筒状に形成された収納部（１０）と、１枚のシート状のブランクにより形成され、収納部内に収納されるとともに収納部の開口を通して挿脱される引き出し部で、被包装物を収納するための本体部（４３、１３３、２２８）と、引き手部（「指で引き出し部を出し入れする際に指が接するための引き手部」としてもよい）（７６、１５８、２６４）とを有し、本体部が、略長方形状の本体部底面部で、右側面側の辺部と、左側面側の辺部と、背面側の辺部と、正面側の辺部とを有する本体部底面部（４４、１３４、２３０）と、本体部底面部の右側面側の辺部から第１折れ線（Ｃ９、Ｃ３０、Ｃ３１、Ｃ６０）を介して連設された本体部右側面部（４６、１３６）と、本体部底面部の左側面側の辺部から第２折れ線（Ｃ１３、Ｃ３２、Ｃ３３、Ｃ６１）を介して連設された本体部左側面部（５８、１４４）と、本体部底面部の背面側の辺部から第３折れ線（Ｃ１７、Ｃ３４、Ｃ６２）を介して連設された略台形形状の本体部背面部で、右側面側の略直線状の辺部（７０ａ、１５２ａ、２４８ａ）が第３折れ線となす角度である第１角度（α５、α１５、α３３）が鈍角であり、左側面側の略直線状の辺部（７０ｂ、１５２ｂ、２４８ｂ）が第３折れ線となす角度である第２角度（α６、α１６）が鈍角である本体部背面部（７０、１５２、２４８）と、本体部底面部の正面側の辺部から第４折れ線（Ｃ１８、Ｃ１９、Ｃ３５、Ｃ３６、Ｃ６３、Ｃ６４、Ｃ６５）を介して連設された略台形形状の本体部正面部で、右側面側の略直線状の辺部（７２ａ、１５４ａ、２５４ａ）が第４折れ線となす角度である第３角度（α７、α１７、α３５）が鈍角であり、左側面側の略直線状の辺部（７２ｂ、１５４ｂ、２５４ｂ）が第４折れ線となす角度である第４角度（α８、α１８、α３６）が鈍角である本体部正面部（７２、１５４、２５４）とを有し、第１角度の大きさと第２角度の大きさと第３角度の大きさと第４角度の大きさとが、略同一に形成され、本体部右側面部と本体部左側面部と本体部背面部と本体部正面部とが、本体部底面部に対して折り曲げられ、本体部右側面部と本体部左側面部と本体部背面部と本体部正面部とにおける隣接する各部が糊代部を介して連結され、本体部右側面部が、本体部底面部側から上部側に行くに従い本体部底面部の外側に傾斜し、本体部左側面部が、本体部底面部側から上部側に行く��従い本体部底面部の外側に傾斜しており、引き手部が、本体部正面部の上部側の辺部から第５折れ線（Ｃ２０、Ｃ３７、Ｃ６６）を介して連設された引き手部上面部で、本体部正面部に対して正面側に折り曲げられた引き手部上面部（７８、１６０、２６６）と、引き手部上面部の正面側の辺部から第６折れ線（Ｃ２１、Ｃ２２、Ｃ３８、Ｃ３９、Ｃ６７、Ｃ６８）を介して連設された引き手部正面部で、引き手部上面部に対して下部側に折り曲げられた引き手部正面部（８０、１６２、２６８）と、引き手部正面部の下部側の辺部から第７折れ線（Ｃ２９、Ｃ４４、Ｃ４５、Ｃ６９、Ｃ７０）を介して連設された引き手部下面部本体（１００、１７８、２７８）と、引き手部下面部本体の先端側の辺部から連設された第１突状部（１１０、２８０、２８２）とを有する引き手部下面部で、引き手部正面部に対して背面側に折り曲げられた引き手部下面部（９８、１７６、２７６）とを有し、本体部底面部と本体部正面部との境界位置には、第１切込み（Ｋ７４、Ｋ１５６、Ｋ２５６、Ｋ２５８）が形成され、第１突状部を第１切込みに差し込むことにより引き手部下面部の先端側が本体部に固定される引き出し部（４２、１３２、２２６ａ、２２６ｂ）と、を有することを特徴とする。
【０００８】
第１の構成の包装箱においては、本体部右側面部及び本体部左側面部が、本体部底面部側から上部側に行くに従い本体部底面部の外側に傾斜していることにより、引き出し部を収納部の正面側の開口から出し入れする際、本体部右側面部の上部側の辺部及びその付近と、本体部左側面部の上部側の辺部及びその付近については、収納部と接触して摩擦するとしても、本体部右側面部の大部分及び本体部左側面部の大部分については、収納部と接触しないので、例えば、収納部をその両側面側から内側に押圧して挟持しても、引き出し部の摺動により発生する摩擦力が小さく、引き出し部をスムーズかつ簡単に出し入れすることができ、引き出し部をスムーズに出し入れですので、引き出し部の損傷を少なくすることができる。
【０００９】
また、例えば収納部上面部の右側面側の辺部と収納部上面部の左側面側の辺部と収納部底面部の右側面側の辺部と収納部底面部の左側面側の辺部のいずれかの辺部から収納部糊代部を連設し、収納部第１側面部と収納部第２側面部のいずれか一方の側面部の内側に収納部糊代部を接着して収納部を組み立てるようにしたとしても、引き出し部の側面部が引き出し部底面部に対して略直角である場合には、引き出し部を出し入れする際、収納部糊代部に引き出し部が引っ掛かって、スムーズな引き出し部の出し入れができなかったり、収納部糊代部と引き出し部が引っ掛かることにより、収納部及び引き出し部が損傷し、強度及び耐久性が低下することを避けることができないが、本構成の包装箱においては、上記のように、本体部右側面部の大部分及び本体部左側面部の大部分が、収容部に接触しないので、収納部及び引き出し部が損傷せず、強度及び耐久性の低下を防止することができる。
【００１０】
また、第１角度と第２角度と第３角度と第４角度とが、略同一の大きさの鈍角の角度であるので、本体部右側面部と本体部左側面部の傾斜角度が略同一となって見た目がよい。
【００１１】
また、引き出し部を出し入れする際に挟持するための引き手部を有することにより、引き出し部の出し入れを簡単に行なうことができ、引き手部上面部が本体部正面部に対して正面側に折り曲げられ、引き手部が本体部の外側の形成されていることにより、引き手部を収納部に嵌合可能とすることができるので、引き手部がストッパーとなって、引き出し部の収納部からの抜け落ちを防止することができる。
【００１２】
また、第２には、上記第１の構成において、本体部右側面部が略台形形状であり、本体部右側面部の正面側の略直線状の辺部（４６ａ、１３６ａ、２４４ａ）が第１折れ線となす角度である第５角度（α１、α１１、α２９）が鈍角であり、本体部右側面部の背面側の略直線状の辺部（４６ｂ、１３６ｂ、２４４ｂ）が第１折れ線となす角度である第６角度（α２、α１２、α３０）が鈍角であり、本体部左側面部が略台形形状であり、本体部左側面部の正面側の略直線状の辺部（５８ａ、１４４ａ、２４６ａ）が第２折れ線となす角度である第７角度（α３、α１３、α３１）が鈍角であり、本体部左側面部の背面側の略直線状の辺部（５８ｂ、１４４ｂ、２４６ｂ）が第２折れ線となす角度である第８角度（α４、α１４、α３２）が鈍角であり、第５角度の大きさと第６角度の大きさと第７角度の大きさと第８角度の大きさとが、第１角度の大きさと略同一に形成されていることを特徴とする。
【００１３】
第２の構成の包装箱においては、本体部右側面部の背面側の辺部と、本体部背面部の右側面側の辺部とを互いに当接させ、例えば本体部右側面部の背面側の辺部から連設した糊代部を本体部背面部の外側に接着し、また、本体部左側面部の背面側の辺部と、本体部背面部の左側面側の辺部とを互いに当接させ、例えば本体部左側面部の背面側の辺部から連設した糊代部を本体部背面部の外側に接着し、また、本体部右側面部の正面側の辺部と、本体部正面部の右側面側の辺部とを互いに当接させ、例えば本体部右側面部の正面側の辺部から連設した糊代部を本体部正面部の外側に接着し、また、本体部左側面部の正面側の辺部と、本体部正面部の左側面側の辺部とを互いに当接させ、例えば本体部左側面部の正面側の辺部から連設した糊代部を本体部正面部の外側に接着するだけで、本体部右側面部と本体部左側面部と本体部背面部と本体部正面部とが、略同一の角度で傾斜し、外観上のバランスがよい。
【００１４】
また、第３には、上記第１又は第２の構成において、本体部右側面部の正面側の辺部から折れ線を介して連設された糊代部（５６、１４２）が、本体部正面部の外側の面に接着され、本体部左側面部の正面側の辺部から折れ線を介して連設された糊代部（６８、１５０）が、本体部正面部の外側の面に接着され、本体部右側面部の背面側の辺部から折れ線を介して連設された糊代部（５４、１４０）が、本体部背面部の外側の面に接着され、本体部左側面部の背面側の辺部から折れ線を介して連設された糊代部（６６、１４８）が、本体部背面部の外側の面に接着されていることを特徴とする。
【００１５】
また、第４には、上記第１又は第２の構成において、本体部正面部の右側面側の辺部から折れ線を介して連設された糊代部（２６０）が、本体部右側面部の外側の面に接着され、本体部正面部の左側面側の辺部から折れ線を介して連設された糊代部（２６２）が、本体部左側面部の外側の面に接着され、本体部背面部の右側面側の辺部から折れ線を介して連設された糊代部（２５０）が、本体部右側面部の外側の面に接着され、本体部背面部の左側面側の辺部から折れ線を介して連設された糊代部（２５２）が、本体部左側面部の外側の面に接着されていることを特徴とする。
【００１６】
また、第５には、上記第１から第４までのいずれかの構成において、引き手部正面部が、引き手部上面部の正面側から連設された引き手部正面部本体（８２、１６４、２７０）と、引き手部正面部本体の上部側の辺部から連設された第２突状部で、引き手部上面部との境界位置に第２切込み（Ｋ８４、Ｋ１６６、Ｋ２７２）を形成することにより設けられた第２突状部（８４、１６６、２７２）とを有し、収納部に収納された引き出し部を引き出す際に、第２突状部に指を係止して使用することを特徴とする。
【００１７】
第５の構成の包装箱においては、第２突状部が、引き手部上面部よりも上方に突出しているので、第２突状部に指を掛けて、引き出し部を引き出すことができ、よりスムーズかつ簡単に引き出し部の出し入れができる。
【００１８】
また、第６には、上記第５の構成において、引き手部正面部が、引き手部正面部本体の下部側の辺部から連設された第３突状部で、引き手部下面部との境界位置に第３切込み（Ｋ２７４）を形成することにより設けられた第３突状部（２７４）とを有し、収納部に収納された引き出し部を引き出す際に、第３突状部に指を係止して使用することを特徴とする。
【００１９】
第６の構成の包装箱においては、第３突状部が、引き手部下面部よりも下方に突出しているので、第３突状部に指を掛けて、引き出し部を引き出すことができ、よりスムーズかつ簡単に引き出し部の出し入れができる。
【００２０】
また、第７には、上記第１から第５までのいずれかの構成において、引き手部正面部と引き手部下面部との境界位置には、穴部（１８２）が形成され、収納部に収納された引き出し部を引き出す際に、該穴部に指を係止して使用することを特徴とする。
【００２１】
第７の構成の包装箱においては、引き手部の正面側下部に穴部が形成されているので、穴部に指を掛けて、引き出し部を引き出すことができ、よりスムーズかつ簡単に引き出し部の出し入れができる。
【００２２】
また、第８には、上記第１から第７までのいずれかの構成において、引き手部が、引き手部正面部の右側面側の辺部から第８折れ線（Ｃ２３）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α９）が鈍角である引き手部右側面部背面側辺部とを有する引き手部右側面部（８６）と、引き手部正面部の左側面側の辺部から第９折れ線（Ｃ２６）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α１０）が鈍角である引き手部左側面部背面側辺部とを有する引き手部左側面部（９２）と、引き手部右側面部の引き手部右側面部上辺部から折れ線を介して連設された第１片部（８８）と、引き手部右側面部の引き手部右側面部下辺部から折れ線を介して連設された第２片部（９０）と、引き手部左側面部の引き手部左側面部上辺部から折れ線を介して連設された第３片部（９４）と、引き手部左側面部の引き手部左側面部下辺部から折れ線を介して連設された第４片部（９６）と、を有し、第１突状部を第１切込みに差し込んで引き手部下面部の先端側を本体部に固定した状態において、第１片部と第３片部とが引き手部上面部の内側の面に接し、第２片部と第４片部とが引き手部下面部の内側の面に接し、第９角度及び第１０角度が、上記第５角度と略同一であることを特徴とする。
【００２３】
第８の構成の包装箱においては、引き手部右側面部背面側辺部の傾斜角度と本体部右側面部の正面側の辺部の傾斜角度とが合致し、引き手部左側面部背面側辺部の傾斜角度と本体部左側面部の正面側の辺部の傾斜角度とが合致することにより、見た目がよい。
【００２４】
また、第９には、上記第１から第７までのいずれかの構成において、引き手部が、引き手部下面部の引き手部正面部とは反対側の辺部から折れ線を介して連設された補強フラップ（１８４）と、引き手部正面部の右側面側の辺部から第８折れ線（Ｃ４０）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α１９）が鈍角である引き手部右側面部背面側辺部とを有する引き手部右側面部（１６８）と、引き手部正面部の左側面側の辺部から第９折れ線（Ｃ４２）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α２０）が鈍角である引き手部左側面部背面側辺部とを有する引き手部左側面部（１７２）と、引き手部右側面部の引き手部右側面部背面側辺部から折れ線を介して連設された第５片部（１７０）と、引き手部左側面部の引き手部右側面部背面側辺部から折れ線を介して連設された第６片部（１７４）と、を有し、第５片部と第６片部とが補強フラップに接着されており、第９角度及び第１０角度が、上記第５角度と略同一であることを特徴とする。
【００２５】
第９の構成の包装箱においては、引き手部右側面部背面側辺部の傾斜角度と本体部右側面部の正面側の辺部の傾斜角度とが合致し、引き手部左側面部背面側辺部の傾斜角度と本体部左側面部の正面側の辺部の傾斜角度とが合致することにより、見た目がよい。また、第５片部と第６片部とが補強フラップに接着されているので、引き手部の形状を安定して維持することができる。
【００２６】
また、第１０には、上記第１から第９までのいずれかの構成において、引き出し部には、板状の仕切り部本体（１１４、１２０、１２６）と、仕切り部本体の右側面側の辺部から連設された板状の第４突状部（１１６ａ、１２２ａ、１２８ａ）と、仕切り部本体の左側面側の辺部から連設された板状の第５突状部（１１６ｂ、１２２ｂ、１２８ｂ）とを有する仕切り部（１１２、１１８、１２４）が設けられ、本体部右側面部が、仕切り部の右側面側を支持するための第１仕切り支持部で、本体部右側面部の上下方向に直線状に形成された第４切込み（Ｋ４８ａ、Ｋ５０ａ、Ｋ５２ａ）と、第４切込みの下端から正面側斜め上方に傾斜して形成され、第４切込みの長さよりも長さが短い第５切込み（Ｋ４８ｂ、Ｋ５０ｂ、Ｋ５２ｂ）と、第４切込みの上端と第５切込みの上端間に形成された第１０折れ線（Ｃ１０、Ｃ１１、Ｃ１２）とで囲まれた領域により形成された第１仕切り支持部（４８，５０、５２）を有し、本体部左側面部が、仕切り部の左側面側を支持するための第２仕切り支持部で、本体部左側面部の上下方向に直線状に形成された第６切込み（Ｋ６０ａ、Ｋ６２ａ、Ｋ６４ａ）と、第６切込みの下端から背面側斜め上方に傾斜して形成され、第６切込みの長さよりも長さが短い第７切込み（Ｋ６０ｂ、Ｋ６２ｂ、Ｋ６４ｂ）と、第６切込みの上端と第７切込みの上端間に形成された第１１折れ線（Ｃ１４，Ｃ１５，Ｃ１６）とで囲まれた領域により形成された第２仕切り支持部（６０、６２，６４）を有し、仕切り部の第４突状部が本体部右側面部の第４切込みに差し込まれ、仕切り部の第５突状部が本体部左側面部の第６切込みに差し込まれて、仕切り部が引き出し部に固定され、仕切り部が引き出し部に固定された状態では、第４突状部及び第１仕切り部支持部は、左右方向には本体部右側面部の上端よりも左側面側にあり、第５突状部及び第２仕切り部支持部は、左右方向には本体部左側面部の上端よりも右側面側にあることを特徴とする。
【００２７】
第１０の構成の包装箱においては、仕切り部の第４突状部を本体部右側面部の第４切込みに差し込み、仕切り部の第５突状部を本体部左側面部の第６切込みに差し込むだけで、仕切り部を本体部に容易に取り付けることができる。
【００２８】
また、本体部右側面部の第１支持部が、第４突状部を正面側に押圧し、本体部左側面部の第２支持部が第５突状部を背面側に押圧することから、仕切り部が本体部に強固に固定される。
【００２９】
また、第１１には、上記第１から第９までのいずれかの構成において、引き出し部には、本体部底面部に敷設するための中敷き部で、前後方向に配列された複数の敷き板部（１８８、１９６、２０４）と、複数の敷き板部における隣接する敷き板部間に設けられた仕切り部（１９０、１９８）とを有し、１枚のシート状のブランクにより形成された中敷き部（１８６）が設けられ、仕切り部が、隣接する２つの敷き板部の一方から折れ線（Ｃ４６、Ｃ５１）を介して連設された第１仕切り部本体（１９２、２０２）と、隣接する２つの敷き板部の他方から折れ線（Ｃ４７、Ｃ５０）を介して連設されるとともに、第１仕切り部本体から折れ線を介して連設された第２仕切り部本体（１９４、２００）とを有し、第１仕切り部本体と第２仕切り部本体とが第１仕切り部本体と第２仕切り部本体の上側において山折りすることにより仕切り部が立設し、少なくとも１つの敷き板部が、右側面側の辺部から突出した第６突状部（１８８ｂ）と、左側面側の辺部から突出した第７突状部（１８８ｃ）とを有し、本体部底面部と本体部右側面部との境界位置には、中敷き部の第６突状部を差し込むための第８切込み（Ｋ１３８）が形成され、本体部底面部と本体部左側面部との境界位置には、中敷き部の第７突状部を差し込むための第９切込み（Ｋ１４６）が形成されていることを特徴とする。
【００３０】
第１１の構成の包装箱においては、中敷き部の第６突状部を本体部の第８切込みに差込み、中敷き部の第７突状部を本体部の第９切込みに差し込むだけで、仕切り部を本体部に容易に設けることができる。
【００３１】
また、第１２には、上記第１から第１１までのいずれかの構成において、収納部が、一対の開口部における一方を閉塞するための蓋構成部（２６）を有し、引き出し部は、他方の開口を通して挿脱されることを特徴とする。
【００３２】
また、第１３には、上記第１から第１１までのいずれかの構成において、包装箱には一対の引き出し部が設けられ、一方の引き出し部は、収納部における一方の開口を通して挿脱され、他方の引き出し部は、収納部における他方の開口を通して挿脱され、一対の引き出し部における各引き出し部が、引き手部を外側にして収納部内に収納されることを特徴とする。よって、１つの収納部に２つの引き出し部を設けることができる。
【００３３】
また、第１４には、上記第１から第１３までのいずれかの構成において、収納部上面部と収納部底面部における前後方向の端部領域で、引き出し部を収納部に収納した際に、引き手部が位置する領域には、切欠部（１６、２２、２１２、２１４、２２０、２２２）が設けられ、指で引き出し部を引き出す際に、該切欠部を介して指が引き手部に接することを特徴とする。第１４の構成の包装箱においては、収納部に収納された状態の引き出し部の一部が、切欠部を通して露出しており、この引き出し部の露出部分を挟持して、引き出し部を出し入れすることができるので、よりスムーズかつ簡単に引き出し部を出し入れすることができる。
【考案の効果】
【００３４】
本考案に基づく包装箱によれば、本体部右側面部及び本体部左側面部が、本体部底面部側から上部側に行くに従い本体部底面部の外側に傾斜していることにより、引き出し部を収納部の正面側の開口から出し入れする際、本体部右側面部の上部側の辺部及びその付近と、本体部左側面部の上部側の辺部及びその付近については、収納部と接触して摩擦するとしても、本体部右側面部の大部分及び本体部左側面部の大部分については、収納部と接触しないので、例えば、収納部をその両側面側から内側に押圧して挟持しても、引き出し部の摺動により発生する摩擦力が小さく、引き出し部をスムーズかつ簡単に出し入れすることができる。
【００３５】
また、例えば収納部上面部の右側面側の辺部と収納部上面部の左側面側の辺部と収納部底面部の右側面側の辺部と収納部底面部の左側面側の辺部のいずれかの辺部から収納部糊代部を連設し、収納部第１側面部と収納部第２側面部のいずれか一方の側面部の内側に収納部糊代部を接着して収納部を組み立てるようにしたとしても、引き出し部の側面部が引き出し部底面部に対して略直角である場合には、引き出し部を出し入れする際、収納部糊代部に引き出し部が引っ掛かって、スムーズな引き出し部の出し入れができなかったり、収納部糊代部と引き出し部が引っ掛かることにより、収納部及び引き出し部が損傷し、強度及び耐久性が低下することを避けることができないが、本構成の包装箱においては、上記のように、本体部右側面部の大部分及び本体部左側面部の大部分が、収容部に接触しないので、収納部及び引き出し部が損傷せず、強度及び耐久性の低下を防止することができる。
【図面の簡単な説明】
【００３６】
【図１】実施例１の包装箱の前方斜視図である。
【図２】実施例１の包装箱の後方斜視図である。
【図３】実施例１の包装箱の引き出し部を収納部から引き出した状態を示す斜視図である。
【図４】実施例１の包装箱の引き出し部の後方斜視図である。
【図５】実施例１の包装箱の引き出し部の下方斜視図である。
【図６】実施例１の包装箱の収納部の展開図である。
【図７】実施例１の包装箱の引き出し部の展開図である。
【図８】図７の要部拡大図である。
【図９】図７の要部拡大図である。
【図１０】実施例１の包装箱の仕切りの展開図である。
【図１１】実施例２の包装箱の前方斜視図である。
【図１２】実施例２の包装箱の後方斜視図である。
【図１３】実施例２の包装箱の引き出し部を収納部から引き出した状態を示す斜視図である。
【図１４】実施例２の包装箱の引き出し部の分解斜視図である。
【図１５】実施例２の包装箱の引き出し部の後方斜視図である。
【図１６】実施例２の包装箱の引き出し部の下方斜視図である。
【図１７】実施例２の包装箱の収納部の展開図である。
【図１８】実施例２の包装箱の引き出し部の展開図である。
【図１９】図１８の要部拡大図である。
【図２０】図１８の要部拡大図である。
【図２１】実施例２の包装箱の仕切りの展開図である。
【図２２】実施例３の包装箱の前方斜視図である。
【図２３】実施例３の包装箱の引き出し部を収納部から引き出した状態を示す斜視図である。
【図２４】実施例３の包装箱の引き出し部の下方斜視図である。
【図２５】実施例３の包装箱の収納部の展開図である。
【図２６】実施例３の引き出し部の展開図である。
【図２７】図２４の要部拡大図である。
【考案を実施するための形態】
【００３７】
本考案においては、引き出し部の出し入れがスムーズかつ簡単にでき、引き出し部の出し入れによる、強度低下や損傷が少なく、耐久性の高い包装箱を提供するという目的を以下のようにして実現した。
【実施例１】
【００３８】
実施例１の包装箱５−１は、図１〜図１０に示すように構成され、四角筒状の筒状部分を有する収納部１０で、一方の開口を正面側とし、他方の開口を背面側として使用される収納部１０と、収納部１０の正面側の開口から出し入れされ（つまり、挿脱され）、収納部１０に収納される引き出し部４０とを有している。
【００３９】
収納部１０は、１枚のシート状のブランク（例えば、厚紙等のシート状の紙材）により形成され、側面部１２（収納部第１側面部）と、上面部１４（収納部上面部）と、側面部１８（収納部第２側面部）と、底面部２０（収納部底面部）と、糊代部２４と、蓋構成部２６とを有し、その展開状態は、図６に示すように構成されている。
【００４０】
ここで、側面部１２は、略長方形状（長方形状としてもよい）の板状を呈し、組立て状態では、収納部１０の左側面側（組立て状態の収納部１０の引き出し部４０を出し入れする側を正面側とし、収納部１０を正面側から視認した状態での左側面側）の側面を構成している。
【００４１】
また、上面部１４は、側面部１２の上部側（組立て状態での上部側）の辺部から折れ線Ｃ１を介して連設され、略長方形状（長方形状としてもよい）の板状を呈し、側面部１８は、上面部１４の右側面側（組立て状態での右側面側）の辺部から折れ線Ｃ２を介して連設され、略長方形状（長方形状としてもよい）の板状を呈し、底面部２０は、側面部１８の下部側の辺部から折れ線Ｃ３を介して連設され、略長方形状（長方形状としてもよい）の板状を呈し、糊代部２４は、底面部２０の左側面側の辺部から折れ線Ｃ４を介して連設され、略台形状の帯板状を呈している。
【００４２】
また、上面部１４の正面側の辺部には、その幅方向（組立て状態での左右方向）の略中央の位置に略円弧状を呈する切欠部１６（第１切欠部）が形成され、底面部２０の正面側の辺部には、その幅方向略中央位置に略円弧状を呈する切欠部２２（第２切欠部）が形成されている。
【００４３】
また、蓋構成部２６は、蓋部２８と、蓋係止フラップ３０と、蓋フラップ３２と、蓋フラップ３４とを有している。
【００４４】
蓋部２８は、底面部２０の背面側の辺部から折れ線Ｃ５を介して連設され、略長方形状の板状を呈し、蓋係止フラップ３０は、蓋部２８の先端側（折れ線Ｃ５とは反対側）の辺部から折れ線Ｃ６を介して連設され、略長方形状の板状を呈している。なお、蓋係止フラップ３０の先端側（折れ線Ｃ６とは反対側）の２つの角部は、面取りされてＲ状に形成されている。
【００４５】
また、蓋フラップ３２は、側面部１２の背面側の辺部から折れ線Ｃ７を介して連設され、略方形状の板状を呈している。なお、蓋フラップ３２の上部側の辺部は、辺部３２ａと、辺部３２ｂとを有している。辺部３２ａは、折れ線Ｃ７の上面部１４側の端部から連続して形成され、略直線状を呈し、折れ線Ｃ７に対して略直角をなし、辺部３２ｂは、辺部３２ａの先端から連続して形成され、先端側（辺部３２ａとは反対側）に向けて下方に傾斜して形成され、辺部３２ｂと、蓋フラップ３２の先端側の辺部とが接する角部は、面取りされてＲ状に形成されている。
【００４６】
また、蓋フラップ３４は、側面部１８の背面側の辺部から折れ線Ｃ８を介して連設され、略方形状の板状を呈している。なお、蓋フラップ３４の上部側の辺部は、辺部３４ａと、辺部３４ｂとを有している。辺部３４ａは、折れ線Ｃ８の上面部１４側の端部から連続して形成され、略直線状を呈し、折れ線Ｃ８に対して略直角をなし、辺部３４ｂは、辺部３４ａの先端から連続して形成され、先端側（辺部３４ａとは反対側）に向けて下方に傾斜して形成され、辺部３４ｂと、蓋フラップ３４の先端側の辺部とが接する角部は、面取りされてＲ状に形成されている。
【００４７】
収納部１０は、以上のように構成され、これを展開状態から組み立てるには、まず、上面部１４を側面部１２に対して略直角に折り曲げ、側面部１８を上面部１４に対して略直角に折り曲げるとともに、側面部１８を側面部１２に対して略平行に対向させ、底面部２０を側面部１８に対して略直角に折り曲げるとともに、底面部２０を上面部１４に対して略平行に対向させ、糊代部２４を底面部２０に対して折り曲げるとともに、糊代部２４を側面部１２の内側に接着する。つまり、側面部１２と、上面部１４と、側面部１８と、底面部２０とにより四角筒が形成され、収納部１０は、正面側の開口と背面側の開口とを有している。
【００４８】
また、蓋フラップ３２を側面部１２に対して内側に折り曲げ、蓋フラップ３４を側面部１８に対して内側に折り曲げ、蓋部２８を底面部２０に対して内側に折り曲げ、蓋係止フラップ３０を蓋部２８に対して折り曲げるとともに、蓋係止フラップ３０を、蓋フラップ３２及び蓋フラップ３４と、上面部１４との隙間に差し込み、蓋構成部２６により収納部１０の背面側の開口を閉塞する。
【００４９】
次に、引き出し部４０について説明する。引き出し部４０は、図３、図４に示すように、引き出し部本体４２と、仕切り部１１２と、仕切り部１１８と、仕切り部１２４とを有している。 引き出し部本体４２は、１枚のシート状のブランク（例えば、厚紙等のシート状の紙材）により形成され、被包装物を収納するための本体部４３と、引き出し部を出し入れする際に挟持するための引き手部７６とを有し、その展開状態は、図７〜図９に示すように構成されている。この引き出し部本体４２は、請求項１における「引き出し部」として機能する。
【００５０】
また、本体部４３は、全体にトレー状を呈し、底面部４４（本体部底面部）と、側面部４６（本体部右側面部）と、糊代部５４と、糊代部５６と、側面部５８（本体部左側面部）と、糊代部６６と、糊代部６８と、背面部７０（本体部背面部）と、正面部７２（本体部正面部）とを有している。
【００５１】
ここで、底面部４４は、略長方形状（長方形状としてもよい）の板状を呈し、略直線状を呈する右側面側（組立て状態の引き出し部４０の引き手部７６側を正面側とし、引き出し部４０を正面側から視認した状態での右側面側）の辺部と、左側面側の辺部で、略直線状を呈し、右側面側の辺部に対して略平行な辺部と、背面側の辺部で、略直線状を呈し、右側面側の辺部及び左側面側の辺部に対して略直角の辺部と、正面側の辺部で、その幅方向（左右方向）の略中央の位置に突状部を有する辺部とを有している。
【００５２】
次に、側面部４６は、底面部４４の右側面側の辺部から折れ線Ｃ９（第１折れ線）を介して連設され、等脚台形状の１つの角部を切り欠いた形状の板状を呈し、折れ線Ｃ９に沿った略直線状の辺部と、辺部４６ａと、辺部４６ｂと、辺部４６ｃ１と、辺部４６ｃ２とを有している。
【００５３】
つまり、辺部４６ａは、折れ線Ｃ９の正面側の端部から連続して形成され、略直線状（直線状としてもよい）を呈し、折れ線Ｃ９に対して鈍角の角度α１（第５角度）をなし、辺部４６ｂは、折れ線Ｃ９の背面側の端部から連続して形成され、略直線状（直線状としてもよい）を呈し、折れ線Ｃ９に対して鈍角の角度α２（第６角度）をなしている。この角度α２と上記の角度α１とは略同一である。
【００５４】
また、辺部４６ｃ１及び辺部４６ｃ２は、側面部４６の上部側（折れ線Ｃ９とは反対側）の辺部を構成し、辺部４６ｃ１は、辺部４６ａの上部側（折れ線Ｃ９とは反対側）の端部から連続し、折れ線Ｃ９に対して略平行に形成され、略直線状を呈し、辺部４６ｃ２は、辺部４６ｃ１の背面側の端部から連続し、略直線状を呈し、辺部４６ｃ１側から背面側に向けて下方に傾斜して形成され、辺部４６ｃ２の背面側の端部は、辺部４６ｂの上部側の端部と接している。なお、辺部４６ｃ１と辺部４６ａとが接する角部は、面取りされてＲ状に形成されている。
【００５５】
また、側面部４６は、仕切り支持部４８と、仕切り支持部５０と、仕切り支持部５２とを有し、各仕切り支持部４８、５０、５２は、側面部４６の前後方向（正背面方向）に所定の間隔を介して配列されている。
【００５６】
ここで、仕切り支持部４８（第１仕切り支持部）は、切込みＫ４８と、折れ線Ｃ１０とにより囲まれた領域により形成されている。切込みＫ４８は、略レ字形状を呈していて、側面部４６の上下方向に略直線状に形成された切込みＫ４８ａ（第４切込み）と、切込みＫ４８ａの下端から上部側に向けて正面側に傾斜して（つまり、正面側斜め上方に傾斜して）形成された切込みＫ４８ｂで、切込みＫ４８ａの長さよりも長さが短い切込みＫ４８ｂ（第５切込み）とを有し、折れ線Ｃ１０（第１０折れ線）は、切込みＫ４８ａの上端と切込みＫ４８ｂの上端間に形成されている。つまり、切込みＫ４８ａと切込みＫ４８ｂと折れ線Ｃ１０とで囲まれた略三角形状の領域が支持部４８ａ（第１支持部）となっている。
【００５７】
また、仕切り支持部５０（第１仕切り支持部）は、切込みＫ５０と、折れ線Ｃ１１とにより囲まれた領域により形成されている。切込みＫ５０は、略レ字形状を呈していて、側面部４６の上下方向に直線状に形成された切込みＫ５０ａ（第４切込み）と、切込みＫ５０ａの下端から上部側に向けて正面側に傾斜して（つまり、正面側斜め上方に傾斜して）形成された切込みＫ５０ｂで、切込みＫ５０ａの長さよりも長さが短い切込みＫ５０ｂ（第５切込み）とを有し、折れ線Ｃ１１（第１０折れ線）は、切込みＫ５０ａの上端と切込みＫ５０ｂの上端間に形成されている。つまり、切込みＫ５０ａと切込みＫ５０ｂと折れ線Ｃ１１とで囲まれた略三角形状の領域が支持部５０ａ（第１支持部）となっている。
【００５８】
また、仕切り支持部５２（第１仕切り支持部）は、切込みＫ５２と、折れ線Ｃ１２とにより囲まれた領域により形成されている。切込みＫ５２は、略レ字形状を呈していて、側面部４６の上下方向に直線状に形成された切込みＫ５２ａ（第４切込み）と、切込みＫ５２ａの下端から上部側に向けて正面側に傾斜して（つまり、正面側斜め上方に傾斜して）形成された切込みＫ５２ｂで、切込みＫ５２ａの長さよりも長さが短い切込みＫ５２ｂ（第５切込み）とを有し、折れ線Ｃ１２（第１０折れ線）は、切込みＫ５２ａの上端と切込みＫ５２ｂの上端間に形成されている。つまり、切込みＫ５２ａと切込みＫ５２ｂと折れ線Ｃ１２とで囲まれた略三角形状の領域が支持部５２ａ（第１支持部）となっている。
【００５９】
次に、糊代部５４は、側面部４６の背面側の辺部４６ｂから折れ線を介して連設され、略台形状の板状を呈し、糊代部５６は、側面部４６の正面側の辺部４６ａから折れ線を介して連設され、略台形状の板状を呈している。
【００６０】
次に、側面部５８は、底面部４４の左側面側の辺部から折れ線Ｃ１３（第２折れ線）を介して連設され、等脚台形状の１つの角部を切り欠いた形状の板状を呈し、折れ線Ｃ１３に沿った略直線状の辺部と、辺部５８ａと、辺部５８ｂと、辺部５８ｃ１と、辺部５８ｃ２とを有している。
【００６１】
つまり、辺部５８ａは、折れ線Ｃ１３の正面側の端部から連続して形成され、略直線状（直線状としてもよい）を呈し、折れ線Ｃ１３に対して鈍角の角度α３（第７角度）をなし、辺部５８ｂは、折れ線Ｃ１３の背面側の端部から連続して形成され、略直線状（直線状としてもよい）を呈し、折れ線Ｃ１３に対して鈍角の角度α４（第８角度）をなしている。
【００６２】
この角度α４と上記の角度α３とは略同一である。また、角度α３及び角度α４は、側面部４６における角度α１及び角度α２とも略同一である。
【００６３】
また、辺部５８ｃ１及び辺部５８ｃ２は、側面部５８の上部側（折れ線Ｃ１３とは反対側）の辺部を構成し、辺部５８ｃ１は、辺部５８ａの上部側（折れ線Ｃ１３とは反対側）の端部から連続し、折れ線Ｃ１３に対して略平行に形成され、略直線状を呈し、辺部５８ｃ２は、辺部５８ｃ１の背面側の端部から連続し、略直線状を呈し、辺部５８ｃ１側から背面側に向けて下方に傾斜して形成され、辺部５８ｃ２の背面側の端部は、辺部５８ｂの上部側の端部と接している。なお、辺部５８ｃ１と辺部５８ａとが接する角部は、Ｒ状に形成されている。
【００６４】
また、側面部５８は、仕切り支持部６０と、仕切り支持部６２と、仕切り支持部６４とを有し、各仕切り支持部６０、６２、６４は、側面部５８の前後方向（正背面方向）に所定の間隔を介して配列されている。
【００６５】
ここで、仕切り支持部６０（第２仕切り支持部）は、切込みＫ６０と、折れ線Ｃ１４とにより囲まれた領域により形成されている。切込みＫ６０は、略レ字形状を呈していて、側面部５８の上下方向に直線状に形成された切込みＫ６０ａ（第６切込み）と、切込みＫ６０ａの下端から上部側に向けて背面側に傾斜して（つまり、背面側斜め上方に傾斜して）形成された切込みＫ６０ｂで、切込みＫ６０ａの長さよりも長さが短い切込みＫ６０ｂ（第７切込み）とを有し、折れ線Ｃ１４（第１１折れ線）は、切込みＫ６０ａの上端と切込みＫ６０ｂの上端間に形成されている。つまり、切込みＫ６０ａと切込みＫ６０ｂと折れ線Ｃ１４とで囲まれた略三角形状の領域が支持部６０ａ（第２支持部）となっている。
【００６６】
この側面部５８の切込みＫ６０ａと、側面部４６の切込みＫ４８ａとは、組み立て状態で互いに略平行に対向する位置に形成されている。つまり、切込みＫ６０ａと切込みＫ４８ａとは、展開状態における同一直線上に形成されている。
【００６７】
また、仕切り支持部６２（第２仕切り支持部）は、切込みＫ６２と、折れ線Ｃ１５とにより囲まれた領域により形成されている。切込みＫ６２は、略レ字形状を呈していて、側面部５８の上下方向に直線状に形成された切込みＫ６２ａ（第６切込み）と、切込みＫ６２ａの下端から上部側に向けて背面側に傾斜して（つまり、背面側斜め上方に傾斜して）形成された切込みＫ６２ｂで、切込みＫ６２ａの長さよりも長さが短い切込みＫ６２ｂ（第７切込み）とを有し、折れ線Ｃ１５（第１１折れ線）は、切込みＫ６２ａの上端と切込みＫ６２ｂの上端間に形成されている。つまり、切込みＫ６２ａと切込みＫ６２ｂと折れ線Ｃ１５とで囲まれた略三角形状の領域が支持部６２ａ（第２支持部）となっている。
【００６８】
この側面部５８の切込みＫ６２ａと、側面部４６の切込みＫ５０ａとは、組み立て状態で互いに略平行に対向する位置に形成されている。つまり、切込みＫ６２ａと切込みＫ５０ａとは、展開状態における同一直線上に形成されている。
【００６９】
次に、仕切り支持部６４（第２仕切り支持部）は、切込みＫ６４と、折れ線Ｃ１６とにより囲まれた領域により形成されている。切込みＫ６４は、略レ字形状を呈していて、側面部５８の上下方向に直線状に形成された切込みＫ６４ａと、切込みＫ６４ａの下端から上部側に向けて背面側に傾斜して（つまり、背面側斜め上方に傾斜して）形成された切込みＫ６４ｂで、切込みＫ６４ａの長さよりも長さが短い切込みＫ６４ｂ（第７切込み）とを有し、折れ線Ｃ１６（第１１折れ線）は、切込みＫ６４ａの上端と切込みＫ６４ｂの上端間に形成されている。つまり、切込みＫ６４ａと切込みＫ６４ｂと折れ線Ｃ１６とで囲まれた略三角形状の領域が支持部６４ａ（第２支持部）となっている。
【００７０】
この側面部５８の切込みＫ６４ａと、側面部４６の切込みＫ５２ａとは、組み立て状態で互いに略平行に対向する位置に形成されている。つまり、切込みＫ６４ａと切込みＫ５２ａとは、展開状態における同一直線上に形成されている。
【００７１】
次に、糊代部６６は、側面部５８の背面側の辺部５８ｂから折れ線を介して連設され、略台形状の板状を呈し、糊代部６８は、側面部５８の正面側の辺部５８ａから折れ線を介して連設され、略台形状の板状を呈している。
【００７２】
次に、背面部７０は、底面部４４の背面側の辺部から折れ線Ｃ１７（第３折れ線）を介して連設され、略等脚台形状の板状を呈し、折れ線Ｃ１７に沿った略直線状の辺部と、辺部７０ａと、辺部７０ｂと、辺部７０ｃとを有している。
【００７３】
つまり、辺部７０ａは、折れ線Ｃ１７の右側面側の端部から連続して形成され、略直線状（直線状としてもよい）を呈し、折れ線Ｃ１７に対して鈍角の角度α５（第１角度）をなし、辺部７０ｂは、折れ線Ｃ１７の左側面側の端部から連続して形成され、略直線状（直線状としてもよい）を呈し、折れ線Ｃ１７に対して鈍角の角度α６（第２角度）をなしている。
【００７４】
この角度α６と上記の角度α５とは略同一である。また、角度α５及び角度α６は、側面部４６における角度α１及び角度α２、側面部５８における角度α３及び角度α４とも略同一である。
【００７５】
また、辺部７０ｃは、辺部７０ａの上部側（折れ線Ｃ１７とは反対側）の端部と辺部７０ｂの上部側の端部との間に形成され、略直線状を呈し、この辺部７０ｃと折れ線Ｃ１７とが、互いに略平行となっている。なお、辺部７０ａと辺部７０ｃとが接する角部と、辺部７０ｂと辺部７０ｃとが接する角部は、面取りされてＲ状に形成されている。
【００７６】
次に、正面部７２は、底面部４４の正面側から連設され、略等脚台形状の板状を呈している。また、底面部４４と正面部７２との境界位置における一部には、切込みＫ７４（第１切込み）が形成されている。切込みＫ７４は、底面部４４と正面部７２との境界位置における幅方向（左右方向）略中央位置に形成され、底面部４４と正面部７２との境界位置における切込みＫ７４を除く位置には、折れ線が形成されている。
【００７７】
つまり、底面部４４と正面部７２との境界位置における右側面側の端部（つまり、折れ線Ｃ９の正面側の端部）と切込みＫ７４との間の位置には、折れ線Ｃ１８（第４折れ線）が形成され、底面部４４と正面部７２との境界位置における左側面側の端部（つまり、折れ線Ｃ１３の正面側の端部）と切込みＫ７４との間の位置には折れ線Ｃ１９（第４折れ線）が形成され、折れ線Ｃ１８及び折れ線Ｃ１９は、同一直線上に形成されているとともに、折れ線Ｃ１７に対して略平行に形成されている。
【００７８】
また、切込みＫ７４は、略コ字状を呈している。つまり、切込みＫ７４は、切込みＫ７４ａと、切込みＫ７４ｂと、切込みＫ７４ｃとを有している。切込みＫ７４ａは、折れ線Ｃ１８の切込みＫ７４側の端部から正面部７２の上部側に伸び、略直線状を呈し、折れ線Ｃ１８に対して略直角をなし、切込みＫ７４ｂは、折れ線Ｃ１９の切込みＫ７４側の端部から正面部７２の上部側に伸び、略直線状を呈し、折れ線Ｃ１９に対して略直角をなし、切込みＫ７４ｃは、切込みＫ７４ａの上部側の端部と切込みＫ７４ｂの上部側の端部との間に形成され、略直線状を呈し、切込みＫ７４ａ及び切込みＫ７４ｂに対して略直角をなしている。
【００７９】
また、正面部７２は、折れ線Ｃ１８と切込みＫ７４と折れ線Ｃ１９とに沿った辺部と、右側面側の辺部７２ａと、左側面側の辺部７２ｂと、上部側の辺部とを有し、辺部７２ａは、折れ線Ｃ１８の右側面側の端部から連続して形成され、略直線状（直線状としてもよい）を呈し、折れ線Ｃ１８に対して鈍角の角度α７（第３角度）をなし、辺部７２ｂは、折れ線Ｃ１９の左側面側の端部から連続して形成され、略直線状を呈し、折れ線Ｃ１９に対して鈍角の角度α８（第４角度）をなしている。
【００８０】
この角度α８と上記の角度α７とは略同一である。また、角度α７及び角度α８は、側面部４６における角度α１及び角度α２、側面部５８における角度α３及び角度α４、背面部７０における角度α５及び角度α６とも略同一である。
【００８１】
また、上部側の辺部は、辺部７２ａの上部側の端部と辺部７２ｂの上部側の端部との間に形成され、略直線状を呈し、正面部７２の上部側の辺部と、折れ線Ｃ１８及び折れ線Ｃ１９とが、互いに略平行になっている。
【００８２】
次に、引き手部７６について説明する。引き手部７６は、上面部７８（引き手部上面部）と、正面部８０（引き手部正面部）と、側面部８６（引き手部右側面部）と、補強フラップ（第１片部）８８と、補強フラップ（第２片部）９０と、側面部９２（引き手部左側面部）と、補強フラップ（第３片部）９４と、補強フラップ（第４片部）９６と、下面部９８（引き手部下面部）とを有している。
【００８３】
ここで、上面部７８は、本体部４３の正面部７２の上部側の辺部から折れ線Ｃ２０（第５折れ線）を介して連設され、略長方形状の板状を呈し、その正面側（折れ線Ｃ２０とは反対側）の辺部には、略円弧状の切欠部が形成されている。
【００８４】
また、正面部８０は、正面部本体８２（引き手部正面部本体）と、突状部８４（第２突状部）とを有している。正面部本体８２は、上面部７８の正面側から連設され、略長方形状の板状を呈し、突状部８４は、正面部本体８２の上部側（上面部７８側）の辺部における幅方向略中央位置から連設され、舌片状の板状を呈している。
【００８５】
つまり、上面部７８と正面部８０との境界位置における幅方向略中央位置（すなわち、上面部７８と突状部８４との境界位置）には、突状部８４に沿った切込みＫ８４が形成され、上面部７８と正面部８０との境界位置における切込みＫ８４を除く位置（すなわち、上面部７８と正面部本体８２との境界位置）には、折れ線が形成されている。
【００８６】
つまり、上面部７８と正面部８０との境界位置における右側面側の端部と切込みＫ８４（第２切込み）との間の位置には、折れ線Ｃ２１（第６折れ線）が形成され、上面部７８と正面部８０との境界位置における左側面側の端部と切込みＫ８４との間の位置には、折れ線Ｃ２２（第６折れ線）が形成され、折れ線Ｃ２１及び折れ線Ｃ２２は、同一直線上に形成されているとともに、折れ線Ｃ２０に対して略平行に形成されている。
【００８７】
次に、側面部８６は、正面部８０の右側面側の辺部から折れ線Ｃ２３（第８折れ線）を介して連設され、略台形状の板状を呈し、折れ線Ｃ２３に沿った辺部と、上部側の辺部と、下部側の辺部と、背面側の辺部８６ｃとを有している。
【００８８】
つまり、側面部８６においては、上部側の辺部は、折れ線Ｃ２３の上部側の端部から連続して形成され、略直線状を呈し、折れ線Ｃ２３に対して略直角をなし、下部側の辺部は、折れ線Ｃ２３の下部側の端部から連続して形成され、略直線状を呈し、折れ線Ｃ２３に対に対して略直角をなし、上部側の辺部と下部側の辺部とが互いに略平行で、上部側の辺部の長さよりも下部側の辺部の長さが長く、背面側の辺部８６ｃは、上部側の辺部の背面側の端部と下部側の辺部の背面側の端部との間に形成され、略直線状を呈し、上部側の辺部と背面側の辺部８６ｃとが鈍角の角度α９（第９角度）をなしている。
【００８９】
また、補強フラップ８８は、側面部８６の上部側の辺部から折れ線Ｃ２４を介して連設され、略方形状の板状を呈し、補強フラップ９０は、側面部８６の下部側の辺部から折れ線Ｃ２５を介して連設され、略方形状の板状を呈している。
【００９０】
次に、側面部９２は、正面部８０の左側面側の辺部から折れ線Ｃ２６（第９折れ線）を介して連設され、略台形状の板状を呈し、折れ線Ｃ２６に沿った辺部と、上部側の辺部と、下部側の辺部と、背面側の辺部９２ｃとを有している。
【００９１】
つまり、側面部９２においては、上部側の辺部は、折れ線Ｃ２６の上部側の端部から連続して形成され、略直線状を呈し、折れ線Ｃ２６に対して略直角をなし、下部側の辺部は、折れ線Ｃ２６の下部側の端部から連続して形成され、略直線状を呈し、折れ線Ｃ２６に対に対して略直角をなし、上部側の辺部と下部側の辺部とが互いに略平行で、上部側の辺部の長さよりも下部側の辺部の長さが長く、背面側の辺部９２ｃは、上部側の辺部の背面側の端部と下部側の辺部の背面側の端部との間に形成され、略直線状を呈し、上部側の辺部と背面側の辺部９２ｃとが鈍角の角度α１０（第１０角度）をなしている。
【００９２】
この角度α１０と上記の角度α９とは略同一である。また、角度α９及び角度α１０は、側面部４６における角度α１及び角度α２、側面部５８における角度α３及び角度α４、背面部７０における角度α５及び角度α６、正面部７２における角度α７及び角度α８とも略同一である。
【００９３】
つまり、角度α１と、角度α２と、角度α３と、角度α４と、角度α５と、角度α６と、角度α７と、角度α８と、角度α９と、角度α１０とが、全て略同一の角度になっている。
【００９４】
また、補強フラップ９４は、側面部９２の上部側の辺部から折れ線Ｃ２７を介して連設され、略方形状の板状を呈し、補強フラップ９６は、側面部９２の下部側の辺部から折れ線Ｃ２８を介して連設され、略方形状の板状を呈している。
【００９５】
次に、下面部９８は、正面部８０の下部側から連設され、下面部本体１００（引き手部下面部本体）と、突状部１１０（第１突状部）とを有している。つまり、下面部本体１００は、正面部８０の下部側の辺部から折れ線Ｃ２９（第７折れ線）を介して連設され、略長方形状の板状を呈し、突状部１１０は、下面部本体１００の先端側（組立て状態での背面側で、折れ線Ｃ２９とは反対側）の辺部の幅方向略中央位置から連設され、舌片状の板状を呈している。なお、下面部９８の先端両側部の角部は、面取りされてＲ状に形成されている。また、突状部１１０の基端には、括れ部が形成されている。
【００９６】
次に、仕切り部１１２、１１８、１２４について説明する。図１０に示すように、仕切り部１１２は、仕切り部本体１１４と、突状部１１６ａ（第４突状部）と、突状部１１６ｂ（第５突状部）とを有し、仕切り部本体１１４は、下部側の幅が狭くなった略等脚台形状の板状を呈し、突状部１１６ａは、仕切り部本体１１４の右側面側の辺部から連設され、舌片状の板状を呈し、突状部１１６ｂは、仕切り部本体１１４の左側面側の辺部から連設され、舌片状の板状を呈している。
【００９７】
また、仕切り部１１８は、仕切り部本体１２０と、突状部１２２ａ（第４突状部）と、突状部１２２ｂ（第５突状部）とを有し、仕切り部本体１２０は、下部側の幅が狭くなった略等脚台形状の板状を呈し、突状部１２２ａは、仕切り部本体１２０の右側面側の辺部から連設され、舌片状の板状を呈し、突状部１２２ｂは、仕切り部本体１２０の左側面側の辺部から連設され、舌片状の板状を呈している。
【００９８】
また、仕切り部１２４は、仕切り部本体１２６と、突状部１２８ａ（第４突状部）と、突状部１２８ｂ（第５突状部）とを有し、仕切り部本体１２６は、下部側の幅が狭くなった略等脚台形状の板状を呈し、突状部１２８ａは、仕切り部本体１２６の右側面側の辺部から連設され、舌片状の板状を呈し、突状部１２８ｂは、仕切り部本体１２６の左側面側の辺部から連設され、舌片状の板状を呈している。
【００９９】
引き出し部４０は、以上のように構成され、これを展開状態から組み立てるには、まず、引き出し部本体４２の本体部４３を組み立てる。
【０１００】
つまり、側面部４６と、側面部５８と、背面部７０と、正面部７２とを底面部４４に対して折り曲げ、側面部４６の背面側の辺部４６ｂと、背面部７０の右側面側の辺部７０ａとを互いに当接させ、糊代部５４を側面部４６に対して折り曲げるとともに、背面部７０の外側（背面側）に接着し、側面部５８の背面側の辺部５８ｂと、背面部７０の左側面側の辺部７０ｂとを互いに当接させ、糊代部６６を側面部５８に対して折り曲げるとともに、背面部７０の外側に接着する。
【０１０１】
また、側面部４６の正面側の辺部４６ａと、正面部７２の右側面側の辺部７２ａとを互いに当接させ、糊代部５６を側面部４６に対して折り曲げるとともに、正面部７２の外側（正面側）に接着し、側面部５８の正面側の辺部５８ａと、正面部７２の左側面側の辺部７２ｂとを互いに当接させ、糊代部６８を側面部５８に対して折り曲げるとともに、正面部７２の外側に接着する。
【０１０２】
次に、引き出し部本体４２の引き手部７６を組み立てる。つまり、右側面側の側面部８６の補強フラップ８８と補強フラップ９０を側面部８６に対して折り曲げ、側面部８６を正面部８０に対して折り曲げ、左側面側の側面部９２の補強フラップ９４と補強フラップ９６を側面部９２に対して折り曲げ、側面部９２を正面部８０に対して折り曲げる。
【０１０３】
次に、下面部９８を正面部８０に対して折り曲げ、正面部８０を上面部７８に対して折り曲げ、上面部７８を本体部４３の正面部７２に対して折り曲げるとともに、下面部９８の突状部１１０を切込みＫ８４に差し込み係止させる。
【０１０４】
次に、仕切り部１１２、１１８、１２４を取り付ける。つまり、仕切り部１１２の突状部１１６ａを仕切り支持部４８の切込みＫ４８ａに差し込み、仕切り部１１２の突状部１１６ｂを仕切り支持部６０の切込みＫ６０ａに差し込んで、仕切り部１１２を引き出し部本体４２に固定する。
【０１０５】
また、仕切り部１１８の突状部１２２ａを仕切り支持部５０の切込みＫ５０ａに差し込み、仕切り部１１８の突状部１２２ｂを仕切り支持部６２の切込みＫ６２ａに差し込み、仕切り部１１８を引き出し部本体４２に固定する。
【０１０６】
また、仕切り部１２４の突状部１２８ａを仕切り支持部５２の切込みＫ５２ａに差し込み、仕切り部１２４の突状部１２８ｂを仕切り支持部６４の切込みＫ６４ａに差し込み、仕切り部１２４を引き出し部本体４２に固定する。
【０１０７】
なお、仕切り部１１２、１１８、１２４の突状部１１６ａ、１２２ａ、１２８ａが右側面部４６の切込みＫ４８ａ、Ｋ５０ａ、Ｋ５２ａに差し込まれ、仕切り部１１２、１１８、１２４の突状部１１６ｂ、１２２ｂ、１２８ｂが左側面部５８の切込みＫ６０ａ、Ｋ６２ａ、Ｋ６４ａに差し込まれて、仕切り部１１２、１１８、１２４が引き出し部本体４２に固定された状態では、突状部１１６ａ、１２２ａ、１２８ａ及び仕切り部支持部４８、５０、５２は、左右方向には右側面部４６の上端よりも左側面側にあり、突状部１１６ｂ、１２２ｂ、１２８ｂ及び仕切り部支持部６０、６２、６４は、左右方向には左側面部５８の上端よりも右側面側にある。これにより、突状部１１６ａ、１２２ａ、１２８ａ及び仕切り部支持部４８、５０、５２と、突状部１１６ｂ、１２２ｂ、１２８ｂ及び仕切り部支持部６０、６２、６４とが、右側面部４６や左側面部５８よりも外側に突出することがなく、引き出し部４０を収納部１０に収納する際に支障となることがない。
【０１０８】
本実施例の包装箱５−１によれば、角度α１〜角度α８が鈍角で、これらの全てが略同一の角度になっているので、底面部４４の周囲に立設された、側面部４６と、側面部５８と、背面部７０と、正面部７２とが、底面部４４から外側に傾斜した状態（側面部４６と、側面部５８と、背面部７０と、正面部７２とにより囲まれた空間が、下部側にいくに従い狭くなるテーパー状態）になり、このことにより、引き出し部４０の出し入れが容易になる。
【０１０９】
つまり、側面部４６の上部側の辺部及びその付近と、側面部５８の上部側の辺部及びその付近については、収納部１０と接触して摩擦するとしても、側面部４６の大部分及び側面部５８の大部分については、収納部１０と接触しないので、例えば、収納部１０をその両側面側から内側に押圧して挟持しても、引き出し部４０の摺動により発生する摩擦力が小さく、引き出し部４０をスムーズかつ簡単に出し入れすることができる。
【０１１０】
また、糊代部２４が設けられているが、上記のように、側面部４６の大部分及び側面部５８の大部分が、収容部１０に接触しないので、収納部１０及び引き出し部４０が損傷せず、強度及び耐久性の低下を防止することができる。つまり、引き出し部４０の側面部が底面部４４に対して略直角である場合には、引き出し部４０を出し入れする際、糊代部２４に引き出し部４０が引っ掛かって、スムーズな引き出し部４０の出し入れができなかったり、糊代部２４と引き出し部４０が引っ掛かることにより、収納部１０及び引き出し部４０が損傷し、強度及び耐久性が低下するおそれがあるが、側面部４６及び側面部５８が、底面部４４側から上部側に行くに従い外側に傾斜していることにより、引き出し部４０をスムーズかつ簡単に出し入れすることができ、収納部１０及び引き出し部４０が損傷しない。なお、この点は、糊代部２４が底面部２０の左側面側の辺部から連設される場合のみならず、底面部２０の右側面側の辺部から上方に連設された場合や、上面部１４の左側面側の辺部や右側面側の辺部から下方に連設された場合も同様である。
【０１１１】
また、角度α５〜α８が、略同一の大きさの鈍角の角度であるので、側面部４６と側面部５８の傾斜角度が略同一となって見た目がよい。
【０１１２】
また、引き出し部４０を出し入れする際に指が接する引き手部７６を有することにより、引き出し部４０の出し入れを簡単に行なうことができ、上面部７８が正面部８０に対して正面側に折り曲げられ、引き手部７６が本体部４３の外側の形成されていることにより、引き手部７６を収納部１０に嵌合可能とすることができるので、引き手部７６がストッパーとなって、引き出し部４０の収納部１０からの抜け落ちを防止することができる。
【０１１３】
また、仕切り部１１２、１１８、１２４が側面部４６、５８から外側から突出するが、側面部４６、５８が傾斜しているので、仕切り部１１２、１１８、１２４が収納部１０の側面部１２、１８に接するのを防止することができる。
【実施例２】
【０１１４】
実施例２の包装箱５−２は、図１１〜図２１に示すように構成され、略四角筒状の収納部１０で、一方の開口を正面側とし、他方の開口を背面側として使用される収納部１０と、収納部１０の正面側の開口から出し入れされ、収納部１０に収納される引き出し部１３０とを有している。なお、実施例２の収納部１０は、実施例１の収納部１０と同一の構成を有しているので、実施例２の収納部１０についても、実施例１と同一の符号を付して以下に説明する。
【０１１５】
収納部１０は、１枚のシート状のブランク（例えば、厚紙等のシート状の紙材）により形成され、側面部１２（収納部第１側面部）と、上面部１４（収納部上面部）と、側面部１８（収納部第２側面部）と、底面部２０（収納部底面部）と、糊代部２４と、蓋構成部２６とを有し、その展開状態は、図１７に示すように構成されている。
【０１１６】
ここで、側面部１２は、略長方形状（長方形状としてもよい）の板状を呈し、組立て状態では、収納部１０の右側面側（組立て状態の収納部１０の引き出し部１３０を出し入れする側を正面側とし、収納部１０を正面側から視認した状態での右側面側）の側面を構成している。
【０１１７】
また、上面部１４は、側面部１２の上部側（組立て状態での上部側）の辺部から折れ線Ｃ１を介して連設され、略長方形状（長方形状としてもよい）の板状を呈し、側面部１８は、上面部１４の左側面側（組立て状態での左側面側）の辺部から折れ線Ｃ２を介して連設され、略長方形状（長方形状としてもよい）の板状を呈し、底面部２０は、側面部１８の下部側の辺部から折れ線Ｃ３を介して連設され、略長方形状（長方形状としてもよい）の板状を呈し、糊代部２４は、底面部２０の右側面側の辺部から折れ線Ｃ４を介して連設され、略台形状の帯板状を呈している。
【０１１８】
また、上面部１４の正面側の辺部には、その幅方向（組立て状態での左右方向）の略中央位置に略円弧状を呈する切欠部１６（第１切欠部）が形成され、底面部２０の正面側の辺部には、その幅方向略中央位置に略円弧状を呈する切欠部２２（第２切欠部）が形成されている。
【０１１９】
また、蓋構成部２６は、蓋部２８と、蓋係止フラップ３０と、蓋フラップ３２と、蓋フラップ３４とを有している。
【０１２０】
蓋部２８は、底面部２０の背面側の辺部から折れ線Ｃ５を介して連設され、略長方形状の板状を呈し、蓋係止フラップ３０は、蓋部２８の先端側（折れ線Ｃ５とは反対側）の辺部から折れ線Ｃ６を介して連設され、略長方形状の板状を呈している。なお、蓋係止フラップ３０の先端側（折れ線Ｃ６とは反対側）の２つの角部は、面取りされてＲ状に形状されている。
【０１２１】
また、蓋フラップ３２は、側面部１２の背面側の辺部から折れ線Ｃ７を介して連設され、略方形状の板状を呈している。なお、蓋フラップ３２の上部側の辺部は、辺部３２ａと、辺部３２ｂとを有している。辺部３２ａは、折れ線Ｃ７の上面部１４側の端部から連続して形成され、略直線状を呈し、折れ線Ｃ７に対して略直角をなし、辺部３２ｂは、辺部３２ａの先端から連続して形成され、先端側（辺部３２ａとは反対側）に向けて下方に傾斜して形成され、辺部３２ｂと、蓋フラップ３２の先端側の辺部とが接する角部は、面取りされてＲ状に形成されている。
【０１２２】
また、蓋フラップ３４は、側面部１８の背面側の辺部から折れ線Ｃ８を介して連設され、略方形状の板状を呈している。なお、蓋フラップ３４の上部側の辺部は、辺部３４ａと、辺部３４ｂとを有している。辺部３４ａは、折れ線Ｃ８の上面部１４側の端部から連続して形成され、略直線状を呈し、折れ線Ｃ８に対して略直角をなし、辺部３４ｂは、辺部３４ａの先端から連続して形成され、先端側（辺部３４ａとは反対側）に向けて下方に傾斜して形成され、辺部３４ｂと、蓋フラップ３４の先端側の辺部とが接する角部は、面取りされてＲ状に形成されている。
【０１２３】
収納部１０は、以上のように構成され、これを展開状態から組み立てるには、まず、上面部１４を側面部１２に対して略直角に折り曲げ、側面部１８を上面部１４に対して略直角に折り曲げるとともに、側面部１８を側面部１２に対して略平行に対向させ、底面部２０を側面部１８に対して略直角に折り曲げるとともに、底面部２０を上面部１４に対して略平行に対向させ、糊代部２４を底面部２０に対して折り曲げるとともに、糊代部２４を側面部１２の内側に接着する。つまり、側面部１２と、上面部１４と、側面部１８と、底面部２０とで四角筒を形成する。
【０１２４】
次に、蓋フラップ３２を側面部１２に対して内側に折り曲げ、蓋フラップ３４を側面部１８に対して内側に折り曲げ、蓋部２８を底面部２０に対して内側に折り曲げ、蓋係止フラップ３０を蓋部２８に対して折り曲げるとともに、蓋係止フラップ３０を、蓋フラップ３２及び蓋フラップ３４と、上面部１４との隙間に差し込み、蓋構成部２６により収納部１０の背面側を閉塞する。
【０１２５】
次に、引き出し部１３０について説明する。引き出し部１３０は、図１３〜図１５に示すように、引き出し部本体１３２と、中敷き部１８６とを有している。
【０１２６】
引き出し部本体１３２は、１枚のシート状のブランク（例えば、厚紙等のシート状の紙材）により形成され、本体部１３３と、引き手部１５８とを有し、その展開状態は、図１８〜図２０に示すように構成されている。この引き出し部本体１３２は、請求項１における「引き出し部」として機能する。
【０１２７】
また、本体部１３３は、全体にトレー状を呈し、底面部１３４（本体部底面部）と、側面部１３６（本体部右側面部）と、糊代部１４０と、糊代部１４２と、側面部１４４（本体部左側面部）と、糊代部１４８と、糊代部１５０と、背面部１５２（本体部背面部）と、正面部１５４（本体部正面部）とを有している。
【０１２８】
ここで、底面部１３４は、略長方形状（長方形状としてもよい）の板状を呈し、右側面側（組立て状態の引き出し部１３０の引き手部１５８側を正面側とし、引き出し部１３０を正面側から視認した状態での右側面側）の辺部で、その前後方向（正背面方向）の略中央の位置に突状部を有する辺部と、左側面側（組立て状態での左側面側）の辺部で、その前後方向の略中央の位置に突状部を有する辺部と、背面側の辺部で、略直線状を呈している辺部と、正面側の辺部で、その幅方向（左右方向）の略中央の位置に突状部を有する辺部とを有している。
【０１２９】
次に、側面部１３６は、底面部１３４の右側面側から連設され、等脚台形状の１つの角部を切り欠いた形状の板状を呈している。また、底面部１３４と側面部１３６との境界位置における一部には、切込みＫ１３８（第８切込み）が形成されている。切込みＫ１３８は、底面部１３４と側面部１３６との境界位置における前後方向略中央位置に形成され、底面部１３４と側面部１３６との境界位置における切込みＫ１３８を除く位置には、折れ線が形成されている。
【０１３０】
つまり、底面部１３４と側面部１３６との境界位置における正面側の端部と切込みＫ１３８との間の位置には、折れ線Ｃ３０（第１折れ線）が形成され、底面部１３４と側面部１３６との境界位置における背面側の端部と切込みＫ１３８との間の位置には折れ線Ｃ３１（第１折れ線）が形成され、折れ線Ｃ３０及び折れ線Ｃ３１は、同一直線上に形成されている。
【０１３１】
また、切込みＫ１３８は、略コ字状を呈している。つまり、切込みＫ１３８は、切込みＫ１３８ａと、切込みＫ１３８ｂと、切込みＫ１３８ｃとを有している。切込みＫ１３８ａは、折れ線Ｃ３０の切込みＫ１３８側の端部から側面部１３６の上部側に伸び、略直線状を呈し、切込みＫ１３８ｂは、折れ線Ｃ３１の切込みＫ１３８側の端部から側面部１３６の上部側に伸び、略直線状を呈し、切込みＫ１３８ｃは、切込みＫ１３８ａの上部側の端部と切込みＫ１３８ｂの上部側の端部との間に形成され、略直線状を呈している。
【０１３２】
また、側面部１３６は、折れ線Ｃ３０と切込みＫ１３８と折れ線Ｃ３１とに沿った辺部と、辺部１３６ａと、辺部１３６ｂと、辺部１３６ｃ１と、辺部１３６ｃ２とを有し、辺部１３６ａは、折れ線Ｃ３０の正面側の端部から連続して形成され、略直線状（直線状としてもよい）を呈し、折れ線Ｃ３０に対して鈍角の角度α１１（第５角度）をなし、辺部１３６ｂは、折れ線Ｃ３１の背面側の端部から連続して形成され、略直線状（直線状としてもよい）を呈し、折れ線Ｃ３１に対して鈍角の角度α１２（第６角度）をなしている。この角度α１２と上記の角度α１１とは略同一である。
【０１３３】
また、辺部１３６ｃ１及び辺部１３６ｃ２は、側面部１３６の上部側（折れ線Ｃ３０及び折れ線Ｃ３１とは反対側）の辺部を構成し、辺部１３６ｃ１は、辺部１３６ａの上部側（折れ線Ｃ３０とは反対側）の端部から連続し、折れ線Ｃ３０及び折れ線Ｃ３１に対して略平行に形成され、略直線状を呈し、辺部１３６ｃ２は、辺部１３６ｃ１の背面側の端部から連続し、略直線状を呈し、辺部１３６ｃ１側から背面側に向けて下方に傾斜して形成され、辺部１３６ｃ２の背面側の端部は、辺部１３６ｂの上部側の端部と接している。なお、辺部１３６ｃ１と辺部１３６ａとが接する角部は、面取りされてＲ状に形成されている。
【０１３４】
次に、糊代部１４０は、側面部１３６の背面側の辺部１３６ｂから折れ線を介して連設され、略台形状の板状を呈し、糊代部１４２は、側面部１３６の正面側の辺部１３６ａから折れ線を介して連設され、略台形状の板状を呈している。
【０１３５】
次に、側面部１４４は、底面部１３４の左側面側から連設され、等脚台形状の１つの角部を切り欠いた形状の板状を呈している。また、底面部１３４と側面部１４４との境界位置における一部には、切込みＫ１４６（第９切込み）が形成されている。切込みＫ１４６は、底面部１３４と側面部１４４との境界位置における前後方向略中央位置に形成され、底面部１３４と側面部１４４との境界位置における切込みＫ１４６を除く位置には、折れ線が形成されている。
【０１３６】
つまり、底面部１３４と側面部１４４との境界位置における正面側の端部と切込みＫ１４６との間の位置には、折れ線Ｃ３２（第２折れ線）が形成され、底面部１３４と側面部１４４との境界位置における背面側の端部と切込みＫ１４６との間の位置には折れ線Ｃ３３（第２折れ線）が形成され、折れ線Ｃ３２及び折れ線Ｃ３３は、同一直線上に形成されている。
【０１３７】
また、切込みＫ１４６は、略コ字状を呈している。つまり、切込みＫ１４６は、切込みＫ１４６ａと、切込みＫ１４６ｂと、切込みＫ１４６ｃとを有している。切込みＫ１４６ａは、折れ線Ｃ３２の切込みＫ１４６側の端部から側面部１４４の上部側に伸び、略直線状を呈し、切込みＫ１４６ｂは、折れ線Ｃ３３の切込みＫ１４６側の端部から側面部１４４の上部側に伸び、略直線状を呈し、切込みＫ１４６ｃは、切込みＫ１４６ａの上部側の端部と切込みＫ１４６ｂの上部側の端部との間に形成され、略直線状を呈している。
【０１３８】
また、側面部１４４は、折れ線Ｃ３２と切込みＫ１４６と折れ線Ｃ３３とに沿った辺部と、辺部１４４ａと、辺部１４４ｂと、辺部１４４ｃ１と、辺部１４４ｃ２とを有し、辺部１４４ａは、折れ線Ｃ３２の正面側の端部から連続して形成され、略直線状（直線状としてもよい）を呈し、折れ線Ｃ３２に対して鈍角の角度α１３（第７角度）をなし、辺部１４４ｂは、折れ線Ｃ３３の背面側の端部から連続して形成され、略直線状（直線状としてもよい）を呈し、折れ線Ｃ３３に対して鈍角の角度α１４（第８角度）をなしている。
【０１３９】
この角度α１４と上記の角度α１３とは略同一である。また、角度α１３及び角度α１４は、側面部１３６における角度α１１及び角度α１２とも略同一である。
【０１４０】
また、辺部１４４ｃ１及び辺部１４４ｃ２は、側面部１４４の上部側（折れ線Ｃ３２及び折れ線Ｃ３３とは反対側）の辺部を構成し、辺部１４４ｃ１は、辺部１４４ａの上部側（折れ線Ｃ３２とは反対側）の端部から連続し、折れ線Ｃ３２及び折れ線Ｃ３３に対して略平行に形成され、略直線状を呈し、辺部１４４ｃ２は、辺部１４４ｃ１の背面側の端部から連続し、略直線状を呈し、辺部１４４ｃ１側から背面側に向けて下方に傾斜して形成され、辺部１４４ｃ２の背面側の端部は、辺部１４４ｂの上部側の端部と接している。なお、辺部１４４ｃ１と辺部１４４ａとが接する角部は、面取りされてＲ状に形成されている。
【０１４１】
次に、糊代部１４８は、側面部１４４の背面側の辺部１４４ｂから折れ線を介して連設され、略台形状の板状を呈し、糊代部１５０は、側面部１４４の正面側の辺部１４４ａから折れ線を介して連設され、略台形状の板状を呈している。
【０１４２】
次に、背面部１５２は、底面部１３４の背面側の辺部から折れ線Ｃ３４（第３折れ線）を介して連設され、等脚台形状の板状を呈し、折れ線Ｃ３４に沿った辺部と、辺部１５２ａと、辺部１５２ｂと、辺部１５２ｃとを有している。
【０１４３】
つまり、辺部１５２ａは、折れ線Ｃ３４の右側面側の端部から連続して形成され、略直線状（直線状としてもよい）を呈し、折れ線Ｃ３４に対して鈍角の角度α１５（第１角度）をなし、辺部１５２ｂは、折れ線Ｃ３４の左側面側の端部から連続して形成され、略直線状（直線状としてもよい）を呈し、折れ線Ｃ３４に対して鈍角の角度α１６（第２角度）をなしている。
【０１４４】
この角度α１６と上記の角度α１５とは略同一である。また、角度α１５及び角度α１６は、側面部１３６における角度α１１及び角度α１２、側面部１４４における角度α１３及び角度α１４とも略同一である。
【０１４５】
また、辺部１５２ｃは、辺部１５２ａの上部側（折れ線Ｃ３４とは反対側）の端部と辺部１５２ｂの上部側の端部との間に形成され、略直線状を呈し、この辺部１５２ｃと折れ線Ｃ３４とが、互いに略平行となっている。なお、辺部１５２ａと辺部１５２ｃとが接する角部と、辺部１５２ｂと辺部１５２ｃとが接する角部は、面取りされてＲ状に形成されている。
【０１４６】
次に、正面部１５４は、底面部１３４の正面側から連設され、略等脚台形状の板状を呈している。また、底面部１３４と正面部１５４との境界位置における一部には、切込みＫ１５６（第１切込み）が形成されている。切込みＫ１５６は、底面部１３４と正面部１５４との境界位置における幅方向（左右方向）の略中央位置に形成され、底面部１３４と正面部１５４との境界位置における切込みＫ１５６を除く位置には、折れ線が形成されている。
【０１４７】
つまり、底面部１３４と正面部１５４との境界位置における右側面側の端部（つまり、折れ線Ｃ３０の正面側の端部）と切込みＫ１５６との間の位置には、折れ線Ｃ３５（第４折れ線）が形成され、底面部１３４と正面部１５４との境界位置における左側面側の端部（つまり、折れ線Ｃ３２の正面側の端部）と切込みＫ１５６との間の位置には折れ線Ｃ３６（第４折れ線）が形成され、折れ線Ｃ３５及び折れ線Ｃ３６は、同一直線上に形成されているとともに、折れ線Ｃ３４に対して略平行に形成されている。
【０１４８】
また、切込みＫ１５６は、略コ字状を呈している。つまり、切込みＫ１５６は、切込みＫ１５６ａと、切込みＫ１５６ｂと、切込みＫ１５６ｃとを有している。切込みＫ１５６ａは、折れ線Ｃ３５の切込みＫ１５６側の端部から正面部１５４の上部側に伸び、略直線状を呈し、折れ線Ｃ３５に対して略直角をなし、切込みＫ１５６ｂは、折れ線Ｃ３６の切込みＫ１５６側の端部から正面部１５４の上部側に伸び、略直線状を呈し、折れ線Ｃ３６に対して略直角をなし、切込みＫ１５６ｃは、切込みＫ１５６ａの上部側の端部と切込みＫ１５６ｂの上部側の端部との間に形成され、略直線状を呈している。
【０１４９】
また、正面部１５４は、折れ線Ｃ３５と切込みＫ１５６と折れ線Ｃ３６とに沿った辺部と、右側面側の辺部１５４ａと、左側面側の辺部１５４ｂと、上部側の辺部とを有し、辺部１５４ａは、折れ線Ｃ３５の右側面側の端部から連続して形成され、略直線状（直線状としてもよい）を呈し、折れ線Ｃ３５に対して鈍角の角度α１７（第３角度）をなし、辺部１５４ｂは、折れ線Ｃ３６の左側面側の端部から連続して形成され、略直線状（直線状としてもよい）を呈し、折れ線Ｃ２８に対して鈍角の角度α１８（第４角度）をなしている。
【０１５０】
この角度α１８と上記の角度α１７とは略同一である。また、角度α１７及び角度α１８は、側面部１３６における角度α１１及び角度α１２、側面部１４４における角度α１３及び角度α１４、背面部１５２における角度α１５及び角度α１６とも略同一である。
【０１５１】
また、上部側の辺部は、辺部１５４ａの上部側の端部と辺部１５４ｂの上部側の端部との間に形成され、略直線状を呈し、正面部１５４の上部側の辺部と、折れ線Ｃ３５及び折れ線Ｃ３６とが、互いに略平行になっている。
【０１５２】
次に、引き手部１５８について説明する。引き手部１５８は、上面部１６０（引き手部上面部）と、正面部１６２（引き手部正面部）と、側面部１６８（引き手部右側面部）と、補強フラップ（第５片部）１７０と、側面部１７２（引き手部左側面部）と、補強フラップ（第６片部）１７４と、下面部１７６（引き手部下面部）と、補強フラップ１８４とを有している。
【０１５３】
ここで、上面部１６０は、本体部１３３の正面部１５４の上部側の辺部から折れ線Ｃ３７（第５折れ線）を介して連設され、略長方形状の板状を呈し、その正面側（折れ線Ｃ３７とは反対側）の辺部には、略円弧状の切欠部が形成されている。
【０１５４】
また、正面部１６２は、正面部本体１６４（引き手部正面部本体）と、突状部１６６（第２突状部）とを有している。正面部本体１６４は、上面部１６０の正面側から連設され、略長方形状の板状を呈し、突状部１６６は、正面部本体１６４の上部側（上面部１６０側）の辺部の幅方向略中央位置から連設され、舌片状の板状を呈している。
【０１５５】
つまり、上面部１６０と正面部１６２との境界位置の幅方向略中央位置（すなわち、上面部１６０と突状部１６６との境界位置）には、突状部１６６に沿った切込みＫ１６６（第２切込み）が形成され、上面部１６０と正面部１６２との境界位置における切込みＫ１６６を除く位置（すなわち、上面部１６０と正面部本体１６４との境界位置）には、折れ線が形成されている。
【０１５６】
つまり、上面部１６０と正面部１６２との境界位置における右側面側の端部と切込みＫ１６６との間の位置には、折れ線Ｃ３８（第６折れ線）が形成され、上面部１６０と正面部１６２との境界位置における左側面側の端部と切込みＫ１６６との間の位置には、折れ線Ｃ３９（第６折れ線）が形成され、折れ線Ｃ３８及び折れ線Ｃ３９は、同一直線上に形成されているとともに、折れ線Ｃ３７に対して略平行に形成されている。
【０１５７】
また、正面部１６２の下部側の辺部には、その幅方向略中央位置に略半円形状の切欠部１６２ａが形成され、この切欠部１６２ａと、後説する下面部１７６の切欠部１７６ａとにより、使用者が指を掛けるための穴部１８２が形成させている。
【０１５８】
次に、側面部１６８は、正面部１６２の右側面側の辺部から折れ線Ｃ４０（第８折れ線）を介して連設され、略台形状の板状を呈し、折れ線Ｃ４０に沿った辺部と、上部側の辺部１６８ａと、下部側の辺部１６８ｂと、背面側の辺部とを有している。
【０１５９】
つまり、側面部１６８においては、上部側の辺部１６８ａは、折れ線Ｃ４０の上部側の端部から連続して形成され、略直線状を呈し、折れ線Ｃ４０に対して略直角をなし、下部側の辺部１６８ｂは、折れ線Ｃ４０の下部側の端部から連続して形成され、略直線状を呈し、折れ線Ｃ４０に対して略直角をなし、上部側の辺部１６８ａと下部側の辺部１６８ｂとが互いに略平行で、上部側の辺部１６８ａの長さよりも下部側の辺部１６８ｂの長さが長く、背面側の辺部は、上部側の辺部１６８ａの背面側の端部と下部側の辺部１６８ｂの背面側の端部との間に形成され、略直線状を呈し、上部側の辺部１６８ａと背面側の辺部とが鈍角の角度α１９（第９角度）をなしている。
【０１６０】
また、補強フラップ１７０は、側面部１６８の背面側の辺部から折れ線Ｃ４１を介して連設され、略長方形状の板状を呈している。なお、補強フラップ１７０の先端側両側の角部は、面取りされてＲ状に形成されている。
【０１６１】
次に、側面部１７２は、正面部１６２の左側面側の辺部から折れ線Ｃ４２（第９折れ線）を介して連設され、略台形状の板状を呈し、折れ線Ｃ４２に沿った辺部と、上部側の辺部１７２ａと、下部側の辺部１７２ｂと、背面側の辺部とを有している。
【０１６２】
つまり、側面部１７２においては、上部側の辺部１７２ａは、折れ線Ｃ４２の上部側の端部から連続して形成され、略直線状を呈し、折れ線Ｃ４２に対して略直角をなし、下部側の辺部１７２ｂは、折れ線Ｃ４２の下部側の端部から連続して形成され、略直線状を呈し、折れ線Ｃ４２に対して略直角をなし、上部側の辺部１７２ａと下部側の辺部１７２ｂとが互いに略平行で、上部側の辺部１７２ａの長さよりも下部側の辺部１７２ｂの長さが長く、背面側の辺部は、上部側の辺部１７２ａの背面側の端部と下部側の辺部１７２ｂの背面側の端部との間に形成され、略直線状を呈し、上部側の辺部１７２ａと背面側の辺部とが鈍角の角度α２０（第１０角度）をなしている。
【０１６３】
この角度α２０と上記の角度α１９とは略同一である。また、角度α１９及び角度α２０は、側面部１３６における角度α１１及び角度α１２、側面部１４４における角度α１３及び角度α１４、背面部１５２における角度α１５及び角度α１６、正面部１５４における角度α１７及び角度α１８とも略同一である。
【０１６４】
また、補強フラップ１７４は、側面部１７２の背面側の辺部１７２ｄから折れ線を介して連設され、略長方形状の板状を呈している。なお、補強フラップ１７４の先端側両側の角部は、面取りされてＲ状に形成されている。
【０１６５】
次に、下面部１７６は、下面部本体１７８（引き手部下面部本体）と、突状部１８０（第１突状部）とを有している。下面部本体１７８は、略長方形状の板状を呈し、正面部１６２の下部側から連設され、下面部本体１７８の正面側（正面部１６２側）の辺部には、その幅方向略中央位置に略半円形状の切欠部１７６ａが形成され、この切欠部１７６ａと正面部１６２の切欠部１６２ａとにより、使用者が指を掛けるための穴部１８２が形成されている。
【０１６６】
つまり、正面部１６２と下面部１７６との境界位置における幅方向略中央位置には、穴部１８２が形成され、正面部１６２と下面部１７６との境界位置における穴部１８２を除く位置には、折れ線が形成されている。
【０１６７】
つまり、正面部１６２と下面部１７６との境界位置の右側面側の端部と穴部１８２との間の位置には、折れ線Ｃ４４（第７折れ線）が形成され、正面部１６２と下面部１７６との境界位置の左側面側の端部と穴部１８２との間の位置には、折れ線Ｃ４５（第７折れ線）が形成され、折れ線Ｃ４４及び折れ線Ｃ４５は、同一直線上に形成されているとともに、折れ線Ｃ３８及び折れ線Ｃ３９に対して略平行に形成されている。
【０１６８】
また、突状部１８０は、下面部本体１７８の先端側（組立て状態での背面側で、折れ線Ｃ４４及び折れ線Ｃ４５とは反対側）の辺部の幅方向略中央位置から連設され、舌片状の板状を呈している。なお、突状部１８０の基端には、括れ部が形成されている。
【０１６９】
次に、補強フラップ１８４は、下面部１７６から連設され、略等脚台形状で先端側の幅が基端側の幅よりも狭い板状を呈している。また、下面部１７６と補強フラップ１８４との境界位置には、下面部１７６の突状部１８０に沿った切込みＫ１８０が形成され、下面部１７６と補強フラップ１８４との境界位置における切込みＫ１８０を除く位置には、折れ線が形成されている。
【０１７０】
次に、中敷き部１８６について説明する。中敷き部１８６は、１枚のシート状のブランク（例えば、厚紙等のシート状の紙材）により形成され、敷き板部１８８と、仕切り部１９０と、敷き板部１９６と、仕切り部１９８と、敷き板部２０４とを有し、その展開状態は、図２１に示すように構成されている。
【０１７１】
ここで、敷き板部１８８は、敷き板部本体１８８ａと、突状部１８８ｂ（第６突状部）と、突状部１８８ｃ（第７突状部）とを有している。敷き板部本体１８８ａは、略長方形状の板状を呈し、突状部１８８ｂは、敷き板部本体１８８ａの右側面側の辺部の前後方向略中央位置から連設され、略長方形状の板状を呈し、突状部１８８ｃは、敷き板部本体１８８ａの左側面側の辺部の前後方向略中央位置から連設され、略長方形状の板状を呈している。
【０１７２】
仕切り部１９０は、仕切り部本体１９２と、仕切り部本体１９４とを有している。仕切り部本体１９２は、敷き板部本体１８８ａの背面側の辺部から折れ線Ｃ４６（第１２折れ線）を介して連設され、略等脚台形状で、敷き板部本体１８８ａ側の幅が狭く背面側の幅が広い略等脚台形状の板状を呈し、仕切り部本体１９４は、仕切り部本体１９２の背面側の辺部から折れ線Ｃ４７（第１３折れ線）を介して連設され、略等脚台形状で、折れ線Ｃ４７側の幅が広く背面側の幅が狭い略等脚台形状の板状を呈している。また、敷き板部１９６は、仕切り部本体１９４の背面側の辺部から折れ線Ｃ４８（第１２折れ線）を介して連設され、略長方形状の板状を呈している。
【０１７３】
つまり、仕切り部本体１９２は、折れ線Ｃ４６に沿った辺部と、辺部１９２ａと、辺部１９２ｂと、折れ線Ｃ４７に沿った辺部とを有し、辺部１９２ａは、折れ線Ｃ４６の右側面側の端部から連続して形成され、折れ線Ｃ４６に対して鈍角の角度α２１をなし、辺部１９２ｂは、折れ線Ｃ４６の左側面側の端部から連続して形成され、折れ線Ｃ４６に対して鈍角の角度α２２をなしている。
【０１７４】
この角度α２２と上記の角度α２１とは略同一である。また、角度α２１及び角度α２２は、引き出し部本体１３２における角度α１１〜角度α２０とも略同一である。
【０１７５】
また、折れ線Ｃ４７は、辺部１９２ａの背面側の端部と辺部１９２ｂの背面側の端部との間に形成され、折れ線Ｃ４６と折れ線Ｃ４７とが、互いに略平行で、仕切り部本体１９４は、折れ線Ｃ４７に沿った辺部と、辺部１９４ａと、辺部１９４ｂと、折れ線Ｃ４８に沿った辺部とを有している。
【０１７６】
辺部１９４ａは、折れ線Ｃ４７の右側面側の端部から連続して形成され、略直線状を呈し、折れ線Ｃ４７に対して鋭角の角度をなし、辺部１９４ｂは、折れ線Ｃ４７の左側面側の端部から連続して形成され、略直線状を呈し、折れ線Ｃ４７に対して鋭角の角度をなし、折れ線Ｃ４８は、辺部１９４ａの背面側の端部と辺部１９４ｂの背面側の端部との間に形成され、略直線状を呈し、折れ線Ｃ４７と折れ線Ｃ４８とが、互いに略平行になっていて、辺部１９４ａは、折れ線Ｃ４８に対して鈍角の角度α２３をなし、辺部１９４ｂは、折れ線Ｃ４８に対して鈍角の角度α２４をなしている。
【０１７７】
この角度α２４と上記の角度α２３とは略同一である。また、角度α２３及び角度α２４は、引き出し部本体１３２における角度α１１〜角度α２０、仕切り部本体１９２における角度α２１及び角度α２２とも略同一である。
【０１７８】
仕切り部１９８は、仕切り部本体２００と、仕切り部本体２０２とを有している。仕切り部本体２００は、敷き板部本体１８８ａの正面側の辺部から折れ線Ｃ４９（第１２折れ線）を介して連設され、略等脚台形状で、敷き板部本体１８８ａ側の幅が狭く正面側の幅が広い略等脚台形状の板状を呈し、仕切り部本体２０２は、仕切り部本体２００の正面側の辺部から折れ線Ｃ５０（第１３折れ線）を介して連設され、略等脚台形状で、折れ線Ｃ５０側の幅が広く正面側における幅が狭い略等脚台形状の板状を呈している。また、敷き板部２０４は、仕切り部本体２０２の正面側の辺部から折れ線Ｃ５１（第１２折れ線）を介して連設され、略長方形状の板状を呈している。
【０１７９】
つまり、仕切り部本体２００は、折れ線Ｃ４９に沿った辺部と、辺部２００ａと、辺部２００ｂと、折れ線Ｃ５０に沿った辺部とを有し、辺部２００ａは、折れ線Ｃ４９の右側面側の端部から連続して形成され、折れ線Ｃ４９に対して鈍角の角度α２５をなし、辺部２００ｂは、折れ線Ｃ４９の左側面側の端部から連続して形成され、折れ線Ｃ４９に対して鈍角の角度α２６をなしている。
【０１８０】
この角度α２６と上記の角度α２５とは略同一である。また、角度α２５及び角度α２６は、引き出し部本体１３２における角度α１１〜角度α２０、仕切り部本体１９２における角度α２１及び角度α２２、仕切り部本体１９４における角度α２３及び角度α２４とも略同一である。
【０１８１】
また、折れ線Ｃ５０は、辺部２００ａの正面側の端部と辺部２００ｂの正面側の端部との間に形成され、折れ線Ｃ５０と折れ線Ｃ４９とが、互いに略平行で、仕切り部本体２０２は、折れ線Ｃ５０に沿った辺部と、辺部２０２ａと、辺部２０２ｂと、折れ線Ｃ５１に沿った辺部とを有している。
【０１８２】
辺部２０２ａは、折れ線Ｃ５０の右側面側の端部から連続して形成され、略直線状を呈し、折れ線Ｃ５０に対して鋭角の角度をなし、辺部２０２ｂは、折れ線Ｃ５０の左側面側の端部から連続して形成され、略直線状を呈し、折れ線Ｃ５０に対して鋭角の角度をなし、折れ線Ｃ５１は、辺部２０２ａの正面側の端部と辺部２０２ｂの正面側の端部との間に形成され、略直線状を呈し、折れ線Ｃ５１と折れ線Ｃ５０とが、互いに略平行になっていて、辺部２０２ａは、折れ線Ｃ５１に対して鈍角の角度α２７をなし、辺部２０２ｂは、折れ線Ｃ５１に対して鈍角の角度α２８をなしている。
【０１８３】
この角度α２８と上記の角度α２７とは略同一である。また、角度α２７及び角度α２８は、引き出し部本体１３２における角度α１１〜角度α２０、仕切り部本体１９２における角度α２１及び角度α２２、仕切り部本体１９４における角度α２３及び角度α２４、仕切り部本体２００における角度α２５及び角度α２６とも略同一である。
【０１８４】
引き出し部１３０は、以上のように構成され、これを展開状態から組み立てるには、まず、引き出し部本体１３２の本体部１３３を組み立てる。
【０１８５】
つまり、側面部１３６と、側面部１４４と、背面部１５２と、正面部１５４とを底面部１３４に対して折り曲げ、側面部１３６の背面側の辺部１３６ｂと、背面部１５２の右側面側の辺部１５２ａとを互いに当接させ、糊代部１４０を側面部１３６に対して折り曲げるとともに、糊代部１４０を背面部１５２の外側（背面側）に接着し、側面部１４４の背面側の辺部１４４ｂと、背面部１５２の左側面側の辺部１５２ｂとを互いに当接させ、糊代部１４８を側面部１４４に対して折り曲げるとともに、糊代部１４８を背面部１５２の外側に接着する。
【０１８６】
また、側面部１３６の正面側の辺部１３６ａと、正面部１５４の右側面側の辺部１５４ａとを互いに当接させ、糊代部１４２を側面部１３６に対して折り曲げるとともに、糊代部１４２を正面部１５４の外側（正面側）に接着し、側面部１４４の正面側の辺部１４４ａと、正面部１５４の左側面側の辺部１５４ｂとを互いに当接させ、糊代部１５０を側面部１４４に対して折り曲げるとともに、糊代部１５０を正面部１５４の外側に接着する。
【０１８７】
次に、引き出し部本体１３２の引き手部１５８を組み立てる。つまり、右側面側の補強フラップ１７０を側面部１６８に対して折り曲げ、側面部１６８を正面部１５４に対して折り曲げ、左側面側の補強フラップ１７４を側面部１７２に対して折り曲げ、側面部１７２を正面部１５４に対して折り曲げる。
【０１８８】
また、下面部１７６を正面部１６２に対して折り曲げ、補強フラップ１８４を下面部１７６に対して折り曲げるとともに、補強フラップ１８４の内側面の右側面側の端部を補強フラップ１７０の外側面に当接させ、補強フラップ１８４の内側面の左側面側の端部を補強フラップ１７４の外側面に当接させ、正面部１６２を上面部１６０に対して折り曲げ、上面部１６０を正面部１５４に対して折り曲げ、突状部１８０を、底面部１３４と正面部１５４との間の切込みＫ１５６に差し込み係止させる。
【０１８９】
次に、中敷き部１８６を組み立てる。つまり、仕切り部本体１９２を敷き板部１８８に対して表面側（中敷き部１８６の表面側）に折り曲げ、仕切り部本体１９４を仕切り部本体１９２に対して裏面側（中敷き部１８６の裏面側）に折り曲げ、敷き板部１９６を仕切り部本体１９４に対して表面側に折り曲げる。つまり、仕切り部本体１９２の裏面と仕切り部本体１９４の裏面とを互いに対向させ、山形の仕切り部１９０を形成する。
【０１９０】
また、仕切り部本体２００を敷き板部１８８に対して表面側に折り曲げ、仕切り部本体２０２を仕切り部本体２００に対して裏面側に折り曲げ、敷き板部２０４を仕切り部本体２０２に対して表面側に折り曲げる。つまり、仕切り部本体２００の裏面と仕切り部本体２０２の裏面とを互いに対向させて、山形の仕切り部１９８を形成する。
【０１９１】
そして、中敷き部１８６を引き出し部本体１３２の底面部１３４に載置するとともに、中敷き部１８６の突状部１８８ｂを引き出し部本体１３２の切込みＫ１３８にに差し込み、突状部１８８ｃを切込みＫ１４６に差し込み係止させる。
【０１９２】
本実施例の包装箱５−２によれば、角度α１１〜角度α１８が鈍角で、これらの全てが略同一の角度になっているので、底面部１３４の周囲に立設された、側面部１３６と、側面部１４４と、背面部１５２と、正面部１５４とが、底面部１３４から外側に傾斜した状態（側面部１３６と、側面部１４４と、背面部１５２と、正面部１５４とにより囲まれた空間が、下部側にいくに従い狭くなるテーパー状態）になり、このことにより、引き出し部１３０の出し入れが容易になる。
【０１９３】
つまり、側面部１３６の上部側の辺部及びその付近と、側面部１４４の上部側の辺部及びその付近については、収納部１０と接触して摩擦するとしても、側面部１３６の大部分及び側面部１４４の大部分については、収納部１０と接触しないので、例えば、収納部１０をその両側面側から内側に押圧して挟持しても、引き出し部１３０の摺動により発生する摩擦力が小さく、引き出し部１３０をスムーズかつ簡単に出し入れすることができる。
【０１９４】
また、糊代部２４が設けられているが、上記のように、側面部１３６の大部分及び側面部１４４の大部分が、収容部１０に接触しないので、収納部１０及び引き出し部１３０が損傷せず、強度及び耐久性の低下を防止することができる。つまり、引き出し部１３０の側面部が底面部１３４に対して略直角である場合には、引き出し部１３０を出し入れする際、糊代部２４に引き出し部１３０が引っ掛かって、スムーズな引き出し部１３０の出し入れができなかったり、糊代部２４と引き出し部１３０が引っ掛かることにより、収納部１０及び引き出し部１３０が損傷し、強度及び耐久性が低下するおそれがあるが、側面部１３６及び側面部１４４が、底面部１３４側から上部側に行くに従い外側に傾斜していることにより、引き出し部１３０をスムーズかつ簡単に出し入れすることができ、収納部１０及び引き出し部１３０が損傷しない。なお、この点は、糊代部２４が底面部２０の右側面側の辺部から連設される場合のみならず、底面部２０の左側面側の辺部から上方に連設された場合や、上面部１４の左側面側の辺部や右側面側の辺部から下方に連設された場合も同様である。
【０１９５】
また、角度α１５〜α１８が、略同一の大きさの鈍角の角度であるので、側面部４６と側面部５８の傾斜角度が略同一となって見た目がよい。
【０１９６】
また、引き出し部１３０を出し入れする際に指が接する引き手部１５８を有することにより、引き出し部１３０の出し入れを簡単に行なうことができ、上面部１６０が正面部１６２に対して正面側に折り曲げられ、引き手部１５８が本体部１３３の外側の形成されていることにより、引き手部１５８を収納部１０に嵌合可能とすることができるので、引き手部１５８がストッパーとなって、引き出し部１３０の収納部１０からの抜け落ちを防止することができる。
【実施例３】
【０１９７】
実施例３の包装箱５−３は、図２２〜図２７に示すように構成され、略四角筒状の収納部２０６で、一方の開口を左側面側とし、他方の開口を右側面側として使用される収納部２０６と、収納部２０６の左側面側の開口から出し入れされ、収納部２０６の左側面側に収納される引き出し部２２６ａと、収納部２０６の右側面側の開口から出し入れされ、収納部２０６の右側面側に収納される引き出し部２２６ｂとを有している。
【０１９８】
収納部２０６は、１枚のシート状のブランク（例えば、厚紙等のシート状の紙材）により形成され、側面部２０８（収納部第１側面部）と、上面部２１０（収納部上面部）と、側面部２１６（収納部第２側面部）と、底面部２１８（収納部底面部）と、糊代部２２４とを有し、その展開状態は、図２５に示すように構成されている。
【０１９９】
ここで、側面部２０８は、略長方形状の板状を呈し、組立て状態では、収納部２０６の正面側の側面を構成し、上面部２１０は、側面部２０８の上部側（組立て状態での上部側）の辺部から折れ線Ｃ５２を介して連設され、略長方形状の板状を呈し、側面部２１６は、上面部２１０の背面側（組立て状態での背面側）の辺部から折れ線Ｃ５３を介して連設され、略長方形状の板状を呈し、底面部２１８は、側面部２１６の下部側（組立て状態での下部側）の辺部から折れ線Ｃ５４を介して連設され、略長方形状の板状を呈し、糊代部２２４は、底面部２１８の正面側の辺部から折れ線Ｃ５５を介して連設され、略台形状の板状を呈している。
【０２００】
また、上面部２１０においては、左側面側（組立て状態での左側面側）の辺部の前後方向（組立て状態での正背面方向）略中央位置に略半円形状を呈する切欠部２１２が形成され、右側面側（組立て状態での右側面側）の辺部の前後方向略中央位置に略半円形状を呈する切欠部２１４が形成されている。
【０２０１】
また、底面部２１８においては、左側面側の辺部の前後方向略中央位置に略半円形状を呈する切欠部２２０が形成され、右側面側の辺部の前後方向略中央位置に略半円形状を呈する切欠部２２２が形成されている。
【０２０２】
収納部２０６は、以上のように構成され、これを展開状態から組み立てるには、まず、上面部２１０を側面部２０８に対して略直角に折り曲げ、側面部２１６を上面部２１０に対して略直角に折り曲げるとともに、側面部２１６を側面部２０８に対して略平行に対向させ、底面部２１８を側面部２１６に対して略直角に折り曲げるとともに、底面部２１８を上面部２１０に対して略平行に対向させ、糊代部２２４を底面部２１８に対して折り曲げるとともに、糊代部２２４を側面部２０８の内側に接着する。つまり、側面部２０８と、上面部２１０と、側面部２１６と、底面部２１８とで四角筒を形成する。
【０２０３】
次に、引き出し部２２６ａについて説明する。引き出し部２２６ａは、本体部２２８と、引き手部２６４とを有し、１枚のシート状のブランク（例えば、厚紙等のシート状の紙材）により形成され、その展開状態は、図２６、図２７に示すように構成されている。
【０２０４】
ここで、本体部２２８は、全体にトレー状を呈し、底面部２３０（本体部底面部）と、側面部２４４（本体部右側面部）と、側面部２４６（本体部左側面部）と、背面部２４８（本体部背面部）と、糊代部２５０と、糊代部２５２と、正面部２５４（本体部正面部）と、糊代部２６０と、糊代部２６２とを有している。
【０２０５】
底面部２３０は、略長方形状（長方形状としてもよい）の板状を呈し、略直線状を呈する右側面側（組立て状態の引き出し部２２６ａの引き手部２６４側を正面側とし、引き出し部２２６ａを正面側から視認した状態での右側面側）の辺部と、左側面側の辺部で、略直線状を呈し、右側面側の辺部に対して略平行な辺部と、背面側の辺部で、略直線状を呈し、右側面側の辺部及び左側面側の辺部に対して略直角な辺部と、正面側の辺部で、その幅方向（左右方向）に間隔を介して配列された２つの突状部を有する辺部とを有している。
【０２０６】
また、底面部２３０には、仕切り部２３２と仕切り部２３８とが形成され、仕切り部２３２及び仕切り部２３８は、底面部２３０の幅方向に間隔を介して配列されている。
【０２０７】
右側面側の仕切り部２３２は、切込みＫ２３２と、折れ線Ｃ５６と、仕切り部本体２３４と、折れ線Ｃ５７と、仕切り部本体２３６とを有している。
【０２０８】
切込みＫ２３２は、略Ｓ字状を呈し、その一方の端点Ｐ１を正面側とし他方の端点Ｐ２を背面側としていて、折れ線Ｃ５６は、上記の端点Ｐ１と、端点Ｐ１を通る前後方向線と切込みＫ２３２とが交わる交点Ｐ３との間に形成され、折れ線Ｃ５７は、上記の端部Ｐ２と、端部Ｐ２を通る前後方向線と切込みＫ２３２とが交わる交点Ｐ４との間に形成され、
切込みＫ２３２と折れ線Ｃ５６とで囲まれた領域が、仕切り部本体２３４となり、切込みＫ２３２と折れ線Ｃ５７とで囲まれた領域が、仕切り部本体２３６となっている。
【０２０９】
つまり、仕切り部本体２３４は、非直線状を呈する切込みＫ２３２と、切込みＫ２３２上に位置する２点（端点Ｐ１と交点Ｐ３）間を結ぶ線上に設けられた折れ線Ｃ５６とにより形成され、仕切り部本体２３６は、非直線状を呈する切込みＫ２３２と、切込みＫ２３２上に位置する２点（端点Ｐ２と交点Ｐ４）間を結ぶ線上に設けられた折れ線Ｃ５７とにより形成されている。
【０２１０】
仕切り部２３２を使用する際には、仕切り部本体２３４を折れ線Ｃ５６を介して底面部２３０に対して略直角に折り曲げることにより、仕切り部本体２３４を立設し、仕切り部本体２３６を折れ線Ｃ５７を介して底面部２３０に対して略直角に折り曲げることにより、仕切り部本体２３６を立設する。
【０２１１】
また、仕切り部２３２を使用しない場合は、仕切り部本体２３４及び仕切り部本体２３６を折り立てずに底面部２３０の一部として使用する。
【０２１２】
また、背面側の仕切り部２３８は、切込みＫ２３８と、折れ線Ｃ５８と、仕切り部本体２４０と、折れ線Ｃ５９と、仕切り部本体２４２とを有している。
【０２１３】
切込みＫ２３８は、略Ｓ字状で、その一方の端点Ｐ５を正面側とし他方の端点Ｐ６を背面側とした略Ｓ字状を呈し、折れ線Ｃ５８は、上記の端点Ｐ５と、端点Ｐ５を通る前後方向線と切込みＫ２３８とが交わる交点Ｐ７との間に形成され、折れ線Ｃ５９は、上記の端部Ｐ６と、端部Ｐ６を通る前後方向線と切込みＫ２３８とが交わる交点Ｐ８との間に形成され、切込みＫ２３８と折れ線Ｃ５８とで囲まれた領域が仕切り部本体２４０となり、切込みＫ２３８と折れ線Ｃ５９とで囲まれた領域が仕切り部本体２４２となっている。
【０２１４】
つまり、仕切り部本体２４０は、非直線状を呈する切込みＫ２３８と、切込みＫ２３８上に位置する２点（端点Ｐ５と交点Ｐ７）間を結ぶ線上に設けられた折れ線Ｃ５８とにより形成され、仕切り部本体２４２は、非直線状を呈する切込みＫ２３８と、切込みＫ２３８上に位置する２点（端点Ｐ６と交点Ｐ８）間を結ぶ線上に設けられた折れ線Ｃ５９とにより形成されている。
【０２１５】
仕切り部２３８を使用する際には、仕切り部本体２４０を折れ線Ｃ５８を介して底面部２３０に対して略直角に折り曲げることにより、仕切り部本体２４０を立設し、仕切り部本体２４２を折れ線Ｃ５９を介して底面部２３０に対して略直角に折り曲げることにより、仕切り部本体２４２を立設する。
【０２１６】
また、仕切り部２３８を使用しない場合は、仕切り部本体２４０及び仕切り部本体２４２を折り立てずに底面部２３０の一部として使用する。
【０２１７】
次に、側面部２４４は、底面部２３０の右側面側の辺部から折れ線Ｃ６０（第１折れ線）を介して連設され、略等脚台形状の板状を呈し、折れ線Ｃ６０に沿った略直線状の辺部と、辺部２４４ａと、辺部２４４ｂと、辺部２４４ｃ１と、辺部２４４ｃ２とを有している。
【０２１８】
辺部２４４ａは、折れ線Ｃ６０の正面側の端部から連続して形成され、略直線状を呈し、折れ線Ｃ６０に対して鈍角の角度α２９をなし、辺部２４４ｂは、折れ線Ｃ６０の背面側の端部から連続して形成され、略直線状を呈し、折れ線Ｃ６０に対して鈍角の角度α３０をなしている。この角度α３０は、上記の角度α２９と略同一である。
【０２１９】
また、辺部２４４ｃ１及び辺部２４４ｃ２は、側面部２２４の上部側（折れ線Ｃ６０とは反対側）の辺部を構成していて、辺部２４４ｃ１は、辺部２４４ａの上部側の端部から連続し、略直線状を呈し、折れ線Ｃ６０に対して略平行に形成され、辺部２４４ｃ２は、辺部２４４ｃ１の背面側の端部から連続し、略直線状を呈し、辺部２４４ｃ１側から背面側に向けて下部側（底面部２３０側）に傾斜して形成され、辺部２４４ｃ２の背面側の端部は、辺部２４４ｂの上部側の端部に連続している。なお、辺部２４４ａと辺部２４４ｃ１とが接する角部は、面取りされてＲ状に形成されている。
【０２２０】
次に、側面部２４６は、底面部２３０の左側面側の辺部から折れ線Ｃ６１（第２折れ線）を介して連設され、略等脚台形状の板状を呈し、折れ線Ｃ６１に沿った略直線状の辺部と、辺部２４６ａと、辺部２４６ｂと、辺部２４６ｃ１と、辺部２４６ｃ２とを有している。
【０２２１】
辺部２４６ａは、折れ線Ｃ６１の正面側の端部から連続して形成され、略直線状を呈し、折れ線Ｃ６１に対して鈍角の角度α３１をなし、辺部２４６ｂは、折れ線Ｃ６１の背面側の端部から連続して形成され、略直線状を呈し、折れ線Ｃ６１に対して鈍角の角度α３２をなしている。
【０２２２】
この角度α３２は、上記の角度α３１と略同一である。また、角度α３１と角度α３２は、側面部２４４における角度α２９及び角度α３０とも略同一である。
【０２２３】
また、辺部２４６ｃ１及び辺部２４６ｃ２は、側面部２４６の上部側（折れ線Ｃ６１とは反対側）の辺部を構成していて、辺部２４６ｃ１は、辺部２４６ａの上部側の端部から連続し、略直線状を呈し、折れ線Ｃ６１に対して略平行に形成され、辺部２４６ｃ２は、辺部２４６ｃ１の背面側の端部から連続し、略直線状を呈し、辺部２４６ｃ１側から背面側に向けて下部側（底面部２３０側）に傾斜して形成され、辺部２４６ｃ２の背面側の端部は、辺部２４６ｂの上部側の端部に連続している。なお、辺部２４６ａと辺部２４６ｃ１とが接する角部は、面取りされてＲ状に形成されている。
【０２２４】
次に、背面部２４８は、底面部２３０の背面側の辺部から折れ線Ｃ６２（第３折れ線）を介して連設され、略等脚台形状の板状を呈し、折れ線Ｃ６２に沿った略直線状の辺部と、辺部２４８ａと、辺部２４８ｂと、辺部２４８ｃとを有している。
【０２２５】
辺部２４８ａは、折れ線Ｃ６２の右側面側の端部から連続して形成され、略直線状を呈し、折れ線Ｃ６２に対して鈍角の角度α３３をなし、辺部２４８ｂは、折れ線Ｃ６２の左側面側の端部から連続して形成され、略直線状を呈し、折れ線Ｃ６２に対して鈍角の角度α３４をなしている。
【０２２６】
この角度α３４は、上記の角度α３３と略同一である。また、角度α３３と角度α３４は、側面部２４４における角度α２９及び角度α３０、側面部２４６における角度α３１及び角度α３２とも略同一である。
【０２２７】
また、辺部２４８ｃは、辺部２４８ａの上部側（折れ線Ｃ６２とは反対側）の端部と辺部２４８ｂの上部側の端部との間に形成され、直線状を呈し、折れ線Ｃ６２に対して略平行に形成されている。なお、辺部２４８ａと辺部２４８ｃとが接する角部と、辺部２４８ｂと辺部２４８ｃとが接する角部は、面取りされてＲ状に形成されている。
【０２２８】
次に、糊代部２５０は、背面部２４８の辺部２４８ａから折れ線を介して連設され、略台形状の板状を呈し、糊代部２５２は、背面部２４８の辺部２４８ｂから折れ線を介して連設され、略台形状の板状を呈している。
【０２２９】
また、正面部２５４は、底面部２３０の正面側から連設され、略等脚台形状の板状を呈している。また、底面部２３０と正面部２５４との境界位置には、２つの切込み（切込みＫ２５６及び切込みＫ２５８）が形成されている。
【０２３０】
切込みＫ２５６及び切込みＫ２５８は、底面部２３０と正面部２５４との境界位置における幅方向（左右方向）に間隔を介して配列され、切込みＫ２５６は右側面側に形成され、切込みＫ２５８は左側面側に形成され、底面部２３０と正面部２５４との境界位置における切込みＫ２５６と切込みＫ２５８を除く位置には、折れ線が形成されている。
【０２３１】
つまり、底面部２３０と正面部２５４との境界位置における右側面側の端部と切込みＫ２５６との間の位置には、折れ線Ｃ６３（第４折れ線）が形成され、底面部２３０と正面部２５４との境界位置における左側面側の端部と切込みＫ２５８との間の位置には、折れ線Ｃ６４（第４折れ線）が形成され、底面部２３０と正面部２５４との境界位置における切込みＫ２５６と切込みＫ２５８との間に位置には、折れ線Ｃ６５（第４折れ線）が形成され、折れ線Ｃ６３と折れ線Ｃ６４と折れ線Ｃ６５は、同一直線上に形成されているとともに、折れ線Ｃ６２に対して略平行に形成されている。
【０２３２】
また、切込みＫ２５６と切込みＫ２５８は、略コ字状を呈している。つまり、切込みＫ２５６は、切込みＫ２５６ａと、切込みＫ２５６ｂと、切込みＫ２５６ｃとを有し、切込みＫ２５６ａは、折れ線Ｃ６３の切込みＫ２５６側の端部から正面部２５４の上部側に伸びて、略直線状を呈し、折れ線Ｃ６３に対して略直角をなし、切込みＫ２５６ｂは、折れ線Ｃ６５の切込みＫ２５６側の端部から正面部２５４の上部側に伸びて、略直線状を呈し、折れ線Ｃ６５に対して略直角をなし、切込みＫ２５６ｃは、切込みＫ２５６ａの上部側の端部と切込みＫ２５６ｂの上部側の端部との間に形成されているとともに、切込みＫ２５６ａ及び切込みＫ２５６ｂに対して略直角をなしている。
【０２３３】
また、切込みＫ２５８は、切込みＫ２５８ａと、切込みＫ２５８ｂと、切込みＫ２５８ｃとを有し、切込みＫ２５８ａは、折れ線Ｃ６４の切込みＫ２５８側の端部から正面部２５４の上部側に伸びて、略直線状を呈し、折れ線Ｃ６４に対して略直角をなし、切込みＫ２５８ｂは、折れ線Ｃ６５の切込みＫ２５８側の端部から正面部２５４の上部側に伸びて、略直線状を呈し、折れ線Ｃ６５に対して略直角をなし、切込みＫ２５８ｃは、切込みＫ２５８ａの上部側の端部と、切込みＫ２５８ｂの上部側の端部との間に形成されているとともに、切込みＫ２５８ａ及び切込みＫ２５８ｂに対して略直角をなしている。
【０２３４】
つまり、正面部２５４は、底面部２３０から折れ線Ｃ６３と折れ線Ｃ６４と折れ線Ｃ６５とを介して連設され、略等脚台形状の板状を呈し、折れ線Ｃ６３と切込みＫ２５６と折れ線Ｃ６４と切込みＫ２５８と折れ線Ｃ６５とに沿った辺部と、辺部２５４ａと、辺部２５４ｂと、上部側の辺部とを有している。
【０２３５】
辺部２５４ａは、折れ線Ｃ６３から連続して形成され、略直線状を呈し、折れ線Ｃ６３に対して鈍角の角度α３５（第３角度）をなし、辺部２５４ｂは、折れ線Ｃ６４から連続して形成され、略直線状を呈し、折れ線Ｃ６４に対して鈍角の角度α３６（第４角度）をなしている。
【０２３６】
この角度α３６は、上記の角度α３５と略同一である。また、角度α３５及び角度α３６は、側面部２４４における角度α２９及び角度α３０、側面部２４６における角度α３１及び角度α３２、背面部２４８における角度α３３及び角度α３４とも略同一である。
【０２３７】
また、辺部２５４ｃは、辺部２５４ａの上部側の端部と辺部２５４ｂの上部側の端部との間に形成され、略直線状を呈し、折れ線Ｃ６３、折れ線Ｃ６４及び折れ線Ｃ６５に対して略平行に形成されている。
【０２３８】
次に、糊代部２６０は、正面部２５４の辺部２５４ａから折れ線を介して連設され、略台形状の板状を呈し、糊代部２６２は、正面部２５４の辺部２５４ｂから折れ線を介して連設され、略台形状の板状を呈している。
【０２３９】
次に、引き手部２６４について説明する。引き手部２６４は、上面部２６６（引き手部上面部）と、正面部２６８（引き手部正面部）と、下面部２７６（引き手部下面部）と、補強フラップ２８４とを有している。
【０２４０】
ここで、上面部２６６は、本体部２２８の正面部２５４の上部側の辺部から折れ線Ｃ６６（第５折れ線）を介して連設され、略長方形状の板状を呈している。
【０２４１】
また、正面部２６８は、正面部本体２７０（引き手部正面部本体）と、突状部２７２（第２突状部）と、突状部２７４（第３突状部）とを有している。正面部本体２７０は、上面部２６６の正面側から連設され、略長方形状の板状を呈し、突状部２７２は、正面部本体２７０の上部側（上面部２６６側）の辺部の幅方向略中央位置から連設され、舌片状の板状を呈している。
【０２４２】
つまり、上面部２６６と正面部２６８との境界位置における幅方向略中央位置（すなわち、上面部２６６と突状部２７２との境界位置）には、突状部２７２に沿った切込みＫ２７２（第２切込み）が形成され、上面部２６６と正面部２６８との境界位置における切込みＫ２７２を除く位置（すなわち、上面部２６６と正面部本体２７０との境界位置）には、折れ線が形成されている。
【０２４３】
つまり、上面部２６６と正面部２６８との境界位置の右側面側の端部と切込みＫ２７２との間の位置には、折れ線Ｃ６７（第６折れ線）が形成され、上面部２６６と正面部２６８との境界位置の左側面側の端部と切込みＫ２７２との間の位置には、折れ線Ｃ６８（第６折れ線）が形成され、折れ線Ｃ６７及び折れ線Ｃ６８は、同一直線上に形成されているとともに、折れ線Ｃ６６に対して略平行に形成されている。
【０２４４】
また、突状部２７４は、正面部本体２７０の下部側の辺部の幅方向略中央位置から連設され、舌片状の板状を呈している。
【０２４５】
また、下面部２７６は、下面部本体２７８（引き手部下面部本体）と、突状部２８０（第１突状部）と、突状部２８２（第１突状部）とを有し、下面部本体２７８は、略長方形状の板状を呈し、正面部本体２７０の下部側から連設され、正面部２６８と下面部２７６との境界位置における幅方向略中央位置（すなわち、突状部２７４と下面部本体２７８との境界位置）には、突状部２７４に沿った切込みＫ２７４（第３切込み）が形成され、正面部２６８と下面部２７６との境界位置における切込みＫ２７４を除く位置（すなわち、正面部本体２７０と下面部本体２７８との境界位置）には、折れ線が形成されている。
【０２４６】
つまり、正面部２６８と下面部２７６との境界位置の右側面側の端部と切込みＫ２７４との間の位置には、折れ線Ｃ６９（第７折れ線）が形成され、正面部２６８と下面部２７６との境界位置の左側面側の端部と切込みＫ２７４との間の位置には、折れ線Ｃ７０（第７折れ線）が形成され、折れ線Ｃ６９及び折れ線Ｃ７０は、同一直線上に形成されているとともに、折れ線Ｃ６７及び折れ線Ｃ６８に対して略平行に形成されている。
【０２４７】
また、突状部２８０及び突状部２８２は、下面部本体２７８の先端側（組立て状態での背面側で、折れ線Ｃ６９及び折れ線Ｃ７０とは反対側）の辺部から連設されているとともに、幅方向に間隔を介して配列され、舌片状の板状を呈している。
【０２４８】
また、補強フラップ２８４は、下面部２７６の突状部２８０及び突状部２８２形成側の辺部から連設され、下面部２７６側の幅方向の長さよりも先端側の幅方向の長さが短い板状を呈している。
【０２４９】
また、下面部２７６と補強フラップ２７８との境界位置には、突状部２８０に沿った切込みＫ２８０と、突状部２８２に沿った切込みＫ２８２とが形成され、下面部２７６と補強フラップ２８４との境界位置における切込みＫ２８０と切込みＫ２８２とを除く位置には、折れ線が形成されている。
【０２５０】
引き出し部２２６ａは、以上のように構成され、これを展開状態から組み立てるには、まず、本体部２２８を組み立てる。  つまり、側面部２４４と、側面部２４６と、背面部２４８と、正面部２５４とを底面部２３０に対して折り曲げ、側面部２４４の背面側の辺部２４４ｂと、背面部２４８の右側面側の辺部２４８ａとを互いに当接させ、糊代部２５０を背面部２４８に対して折り曲げるとともに、側面部２４４の外側（右側面側）に接着し、側面部２４６の背面側の辺部２４６ｂと、背面部２４８の左側面側の辺部２４８ｂとを互いに当接させ、糊代部２５２を背面部２４８に対して折り曲げるとともに、側面部２４６の外側（左側面側）に接着する。
【０２５１】
また、側面部２４４の正面側の辺部２４４ａと、正面部２５４の右側面側の辺部２５４ａとを互いに当接させ、糊代部２６０を正面部２５４に対して折り曲げるとともに、側面部２４４の外側に接着し、側面部２４６の正面側の辺部２４６ａと、正面部２５４の左側面側の辺部２５４ｂとを互いに当接させ、糊代部２６２を正面部２５４に対して折り曲げるとともに、側面部２４６の外側に接着する。
【０２５２】
次に、引き手部２６４を組み立てる。つまり、補強フラップ２８４を下面部２７６に対して折り曲げ、下面部２７６を正面部２６８に対して折り曲げ、正面部２６８を上面部２６６に対して折り曲げ、上面部２６６を正面部２５４に対して折り曲げて、突状部２８０を切込みＫ２５６に差し込んで係止させ、突状部２８２を切込みＫ２５８に差し込んで係止させる。
【０２５３】
また、仕切り部２３２及び仕切り部２３８を使用する場合には、仕切り部本体２３４を折れ線Ｃ５６を介して折り立て、仕切り部本体２３６を折れ線Ｃ５７を介して折り立て、仕切り部本体２４０を折れ線Ｃ５８を介して折り立て、仕切り部本体２４２を折れ線Ｃ５９を介して折り立てる。
【０２５４】
なお、引き出し部２２６ｂは、引き出し部２２６ａと同一の構成を有しているので、その詳細な説明について、ここでは省略する。
【０２５５】
本実施例の包装箱５−３によれば、角度α１１〜角度α１８が鈍角で、これらの全てが略同一の角度になっているので、底面部２３０の周囲に立設された、側面部２４４と、側面部２４６と、背面部２４８と、正面部２５４とが、底面部２４４から外側に傾斜した状態（側面部２４４と、側面部２４６と、背面部２４８と、正面部２５４とにより囲まれた空間が、下部側にいくに従い狭くなるテーパー状態）になり、このことにより、引き出し部２２６ａ、２２６ｂの出し入れが容易になる。
【０２５６】
つまり、側面部２４４の上部側の辺部及びその付近と、側面部２４６の上部側の辺部及びその付近については、収納部２０６と接触して摩擦するとしても、側面部２４４の大部分及び側面部２４６の大部分については、収納部２０６と接触しないので、例えば、収納部２０６をその両側面側から内側に押圧して挟持しても、引き出し部２２６ａ、２２６ｂの摺動により発生する摩擦力が小さく、引き出し部２２６ａ、２２６ｂをスムーズかつ簡単に出し入れすることができる。
【０２５７】
また、糊代部２０８が設けられているが、上記のように、側面部２４４の大部分及び側面部２４６の大部分が、収納部２０６に接触しないので、収納部２０６及び引き出し部２２６ａ、２２６ｂが損傷せず、強度及び耐久性の低下を防止することができる。つまり、引き出し部２２６ａ、２２６ｂの側面部が底面部２３０に対して略直角である場合には、引き出し部２２６ａ、２２６ｂを出し入れする際、糊代部２０８に引き出し部２２６ａ、２２６ｂが引っ掛かって、スムーズな引き出し部２２６ａ、２２６ｂの出し入れができなかったり、糊代部２０８と引き出し部２２６ａ、２２６ｂが引っ掛かることにより、収納部２０６及び引き出し部２２６ａ、２２６ｂが損傷し、強度及び耐久性が低下するおそれがあるが、側面部２４４及び側面部２４６が、底面部２３０側から上部側に行くに従い外側に傾斜していることにより、引き出し部２２６ａ、２２６ｂをスムーズかつ簡単に出し入れすることができ、収納部２０６及び引き出し部２２６ａ、２２６ｂが損傷しない。なお、この点は、糊代部２０８が底面部２１０の右側面側の辺部から連設される場合のみならず、底面部２１８の左側面側の辺部から上方に連設された場合や、上面部２１０の左側面側の辺部や右側面側の辺部から下方に連設された場合も同様である。
【０２５８】
また、角度α５〜α８が、略同一の大きさの鈍角の角度であるので、側面部４６と側面部５８の傾斜角度が略同一となって見た目がよい。
【０２５９】
また、引き出し部２２６ａ、２２６ｂを出し入れする際に指が接する引き手部２６４を有することにより、引き出し部２２６ａ、２２６ｂの出し入れを簡単に行なうことができ、上面部２６６が正面部２６８に対して正面側に折り曲げられ、引き手部２６４が本体部２２８の外側の形成されていることにより、引き手部２６４を収納部２０６に嵌合可能とすることができるので、引き手部２６４がストッパーとなって、引き出し部２２６ａ、２２６ｂの収納部２０６からの抜け落ちを防止することができる。
【符号の説明】
【０２６０】
５−１、５−２、５−３  包装箱
１０、２０６  収納部
１２、１８、４６、５８、８６、９２、１３６、１４４、１６８、１７２、２０８、２１６、２４４、２４６  側面部
１４、７８、１６０、２１０、２６６  上面部
２０、４４、１３４、２１８、２３０  底面部
２４、５４、５６、６６、６８、１４０、１４２、１４８、１５０、２２４、２５０、２５２、２６０、２６２  糊代部
２６  蓋構成部
４０、１３０、２２６ａ、２２６ｂ  引き出し部
４２、１３２  引き出し部本体
４３、１３３、２２８  本体部
４８、５０、５２、６０、６２、６４  仕切り支持部
７０、１５２、２４８  背面部
７２、８０、１５４、１６２、２５４、２６８  正面部
７６、１５８、２６４  引き手部
８８、９０、９４、９６、１７０、１７４、２８４  補強フラップ
９８、１７６、２７６  下面部
１１２、１１８、１２４、１９０、１９８、２３２、２３８  仕切り部
１８６  中敷き部
１８８、１９６、２０４  敷き板部
１８８ａ  敷き板部本体
１８８ｂ、１８８ｃ  突状部
１９２、１９４、２００、２０２  仕切り部本体
【図１】
0003193655.tif 000003
【図２】
0003193655.tif 000004
【図３】
0003193655.tif 000005
【図４】
0003193655.tif 000006
【図５】
0003193655.tif 000007
【図６】
0003193655.tif 000008
【図７】
0003193655.tif 000009
【図８】
0003193655.tif 000010
【図９】
0003193655.tif 000011
【図１０】
0003193655.tif 000012
【図１１】
0003193655.tif 000013
【図１２】
0003193655.tif 000014
【図１３】
0003193655.tif 000015
【図１４】
0003193655.tif 000016
【図１５】
0003193655.tif 000017
【図１６】
0003193655.tif 000018
【図１７】
0003193655.tif 000019
【図１８】
0003193655.tif 000020
【図１９】
0003193655.tif 000021
【図２０】
0003193655.tif 000022
【図２１】
0003193655.tif 000023
【図２２】
0003193655.tif 000024
【図２３】
0003193655.tif 000025
【図２４】
0003193655.tif 000026
【図２５】
0003193655.tif 000027
【図２６】
0003193655.tif 000028
【図２７】
0003193655.tif 000029
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
包装箱であって、
１枚のシート状のブランクにより形成された収納部で、略長方形状の板状を呈する収納部第１側面部（１２、２０８）と、略長方形状の板状を呈し、収納部第１側面部に対して略平行な収納部第２側面部（１８、２１６）と、収納部第１側面部の下部側の辺部と収納部第２側面部の下部側の辺部との間に形成され、略長方形状の板状を呈し、収納部第１側面部及び収納部第２側面部に対して略直角の収納部底面部（２０、２１８）と、収納部第１側面部の上部側の辺部と収納部第２側面部の上部側の辺部との間に形成され、略長方形状の板状を呈し、収納部第１側面部及び収納部第２側面部に対して略直角の収納部上面部（１４、２１０）とを有し、収納部第１側面部と収納部第２側面部と収納部底面部と収納部上面部とにより筒状に形成された収納部（１０）と、
１枚のシート状のブランクにより形成され、収納部内に収納されるとともに収納部の開口を通して挿脱される引き出し部で、被包装物を収納するための本体部（４３、１３３、２２８）と、引き手部（７６、１５８、２６４）とを有し、
本体部が、
略長方形状の本体部底面部で、右側面側の辺部と、左側面側の辺部と、背面側の辺部と、正面側の辺部とを有する本体部底面部（４４、１３４、２３０）と、
本体部底面部の右側面側の辺部から第１折れ線（Ｃ９、Ｃ３０、Ｃ３１、Ｃ６０）を介して連設された本体部右側面部（４６、１３６）と、
本体部底面部の左側面側の辺部から第２折れ線（Ｃ１３、Ｃ３２、Ｃ３３、Ｃ６１）を介して連設された本体部左側面部（５８、１４４）と、
本体部底面部の背面側の辺部から第３折れ線（Ｃ１７、Ｃ３４、Ｃ６２）を介して連設された略台形形状の本体部背面部で、右側面側の略直線状の辺部（７０ａ、１５２ａ、２４８ａ）が第３折れ線となす角度である第１角度（α５、α１５、α３３）が鈍角であり、左側面側の略直線状の辺部（７０ｂ、１５２ｂ、２４８ｂ）が第３折れ線となす角度である第２角度（α６、α１６）が鈍角である本体部背面部（７０、１５２、２４８）と、
本体部底面部の正面側の辺部から第４折れ線（Ｃ１８、Ｃ１９、Ｃ３５、Ｃ３６、Ｃ６３、Ｃ６４、Ｃ６５）を介して連設された略台形形状の本体部正面部で、右側面側の略直線状の辺部（７２ａ、１５４ａ、２５４ａ）が第４折れ線となす角度である第３角度（α７、α１７、α３５）が鈍角であり、左側面側の略直線状の辺部（７２ｂ、１５４ｂ、２５４ｂ）が第４折れ線となす角度である第４角度（α８、α１８、α３６）が鈍角である本体部正面部（７２、１５４、２５４）とを有し、
第１角度の大きさと第２角度の大きさと第３角度の大きさと第４角度の大きさとが、略同一に形成され、本体部右側面部と本体部左側面部と本体部背面部と本体部正面部とが、本体部底面部に対して折り曲げられ、本体部右側面部と本体部左側面部と本体部背面部と本体部正面部とにおける隣接する各部が糊代部を介して連結され、本体部右側面部が、本体部底面部側から上部側に行くに従い本体部底面部の外側に傾斜し、本体部左側面部が、本体部底面部側から上部側に行くに従い本体部底面部の外側に傾斜しており、
引き手部が、
本体部正面部の上部側の辺部から第５折れ線（Ｃ２０、Ｃ３７、Ｃ６６）を介して連設された引き手部上面部で、本体部正面部に対して正面側に折り曲げられた引き手部上面部（７８、１６０、２６６）と、
引き手部上面部の正面側の辺部から第６折れ線（Ｃ２１、Ｃ２２、Ｃ３８、Ｃ３９、Ｃ６７、Ｃ６８）を介して連設された引き手部正面部で、引き手部上面部に対して下部側に折り曲げられた引き手部正面部（８０、１６２、２６８）と、
引き手部正面部の下部側の辺部から第７折れ線（Ｃ２９、Ｃ４４、Ｃ４５、Ｃ６９、Ｃ７０）を介して連設された引き手部下面部本体（１００、１７８、２７８）と、引き手部下面部本体の先端側の辺部から連設された第１突状部（１１０、２８０、２８２）とを有する引き手部下面部で、引き手部正面部に対して背面側に折り曲げられた引き手部下面部（９８、１７６、２７６）とを有し、
本体部底面部と本体部正面部との境界位置には、第１切込み（Ｋ７４、Ｋ１５６、Ｋ２５６、Ｋ２５８）が形成され、第１突状部を第１切込みに差し込むことにより引き手部下面部の先端側が本体部に固定される引き出し部（４２、１３２、２２６ａ、２２６ｂ）と、
を有することを特徴とする包装箱。
【請求項２】
本体部右側面部が略台形形状であり、本体部右側面部の正面側の略直線状の辺部（４６ａ、１３６ａ、２４４ａ）が第１折れ線となす角度である第５角度（α１、α１１、α２９）が鈍角であり、本体部右側面部の背面側の略直線状の辺部（４６ｂ、１３６ｂ、２４４ｂ）が第１折れ線となす角度である第６角度（α２、α１２、α３０）が鈍角であり、
本体部左側面部が略台形形状であり、本体部左側面部の正面側の略直線状の辺部（５８ａ、１４４ａ、２４６ａ）が第２折れ線となす角度である第７角度（α３、α１３、α３１）が鈍角であり、本体部左側面部の背面側の略直線状の辺部（５８ｂ、１４４ｂ、２４６ｂ）が第２折れ線となす角度である第８角度（α４、α１４、α３２）が鈍角であり、
第５角度の大きさと第６角度の大きさと第７角度の大きさと第８角度の大きさとが、第１角度の大きさと略同一に形成されていることを特徴とする請求項１に記載の包装箱。
【請求項３】
引き手部が、
引き手部正面部の右側面側の辺部から第８折れ線（Ｃ２３）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α９）が鈍角である引き手部右側面部背面側辺部とを有する引き手部右側面部（８６）と、
引き手部正面部の左側面側の辺部から第９折れ線（Ｃ２６）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α１０）が鈍角である引き手部左側面部背面側辺部とを有する引き手部左側面部（９２）と、
引き手部右側面部の引き手部右側面部上辺部から折れ線を介して連設された第１片部（８８）と、
引き手部右側面部の引き手部右側面部下辺部から折れ線を介して連設された第２片部（９０）と、
引き手部左側面部の引き手部左側面部上辺部から折れ線を介して連設された第３片部（９４）と、
引き手部左側面部の引き手部左側面部下辺部から折れ線を介して連設された第４片部（９６）と、
を有し、
第１突状部を第１切込みに差し込んで引き手部下面部の先端側を本体部に固定した状態において、第１片部と第３片部とが引き手部上面部の内側の面に接し、第２片部と第４片部とが引き手部下面部の内側の面に接し、
第９角度及び第１０角度が、上記第５角度と略同一であることを特徴とする請求項２に記載の包装箱。
【請求項４】
引き手部が、
引き手部下面部の引き手部正面部とは反対側の辺部から折れ線を介して連設された補強フラップ（１８４）と、
引き手部正面部の右側面側の辺部から第８折れ線（Ｃ４０）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α１９）が鈍角である引き手部右側面部背面側辺部とを有する引き手部右側面部（１６８）と、
引き手部正面部の左側面側の辺部から第９折れ線（Ｃ４２）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α２０）が鈍角である引き手部左側面部背面側辺部とを有する引き手部左側面部（１７２）と、
引き手部右側面部の引き手部右側面部背面側辺部から折れ線を介して連設された第５片部（１７０）と、
引き手部左側面部の引き手部左側面部背面側辺部から折れ線を介して連設された第６片部（１７４）と、
を有し、
第５片部と第６片部とが補強フラップに接着されており、
第９角度及び第１０角度が、上記第５角度と略同一であることを特徴とする請求項２に記載の包装箱。
【請求項５】
本体部右側面部の正面側の辺部から折れ線を介して連設された糊代部（５６、１４２）が、本体部正面部の外側の面に接着され、
本体部左側面部の正面側の辺部から折れ線を介して連設された糊代部（６８、１５０）が、本体部正面部の外側の面に接着され、
本体部右側面部の背面側の辺部から折れ線を介して連設された糊代部（５４、１４０）が、本体部背面部の外側の面に接着され、
本体部左側面部の背面側の辺部から折れ線を介して連設された糊代部（６６、１４８）が、本体部背面部の外側の面に接着されていることを特徴とする請求項１又は２又は３又は４に記載の包装箱。
【請求項６】
本体部正面部の右側面側の辺部から折れ線を介して連設された糊代部（２６０）が、本体部右側面部の外側の面に接着され、
本体部正面部の左側面側の辺部から折れ線を介して連設された糊代部（２６２）が、本体部左側面部の外側の面に接着され、
本体部背面部の右側面側の辺部から折れ線を介して連設された糊代部（２５０）が、本体部右側面部の外側の面に接着され、
本体部背面部の左側面側の辺部から折れ線を介して連設された糊代部（２５２）が、本体部左側面部の外側の面に接着されていることを特徴とする請求項１又は２又は３又は４に記載の包装箱。
【請求項７】
引き手部正面部が、引き手部上面部の正面側から連設された引き手部正面部本体（８２、１６４、２７０）と、引き手部正面部本体の上部側の辺部から連設された第２突状部で、引き手部上面部との境界位置に第２切込み（Ｋ８４、Ｋ１６６、Ｋ２７２）を形成することにより設けられた第２突状部（８４、１６６、２７２）とを有し、収納部に収納された引き出し部を引き出す際に、第２突状部に指を係止して使用することを特徴とする請求項１又は２又は３又は４又は５又は６に記載の包装箱。
【請求項８】
引き手部正面部が、引き手部正面部本体の下部側の辺部から連設された第３突状部で、引き手部下面部との境界位置に第３切込み（Ｋ２７４）を形成することにより設けられた第３突状部（２７４）とを有し、収納部に収納された引き出し部を引き出す際に、第３突状部に指を係止して使用することを特徴とする請求項７に記載の包装箱。
【請求項９】
引き手部正面部と引き手部下面部との境界位置には、穴部（１８２）が形成され、収納部に収納された引き出し部を引き出す際に、該穴部に指を係止して使用することを特徴とする請求項１又は２又は３又は４又は５又は６又は７に記載の包装箱。
【請求項１０】
引き出し部には、板状の仕切り部本体（１１４、１２０、１２６）と、仕切り部本体の右側面側の辺部から連設された板状の第４突状部（１１６ａ、１２２ａ、１２８ａ）と、仕切り部本体の左側面側の辺部から連設された板状の第５突状部（１１６ｂ、１２２ｂ、１２８ｂ）とを有する仕切り部（１１２、１１８、１２４）が設けられ、
本体部右側面部が、
仕切り部の右側面側を支持するための第１仕切り支持部で、本体部右側面部の上下方向に直線状に形成された第４切込み（Ｋ４８ａ、Ｋ５０ａ、Ｋ５２ａ）と、第４切込みの下端から正面側斜め上方に傾斜して形成され、第４切込みの長さよりも長さが短い第５切込み（Ｋ４８ｂ、Ｋ５０ｂ、Ｋ５２ｂ）と、第４切込みの上端と第５切込みの上端間に形成された第１０折れ線（Ｃ１０、Ｃ１１、Ｃ１２）とで囲まれた領域により形成された第１仕切り支持部（４８，５０、５２）を有し、
本体部左側面部が、
仕切り部の左側面側を支持するための第２仕切り支持部で、本体部左側面部の上下方向に直線状に形成された第６切込み（Ｋ６０ａ、Ｋ６２ａ、Ｋ６４ａ）と、第６切込みの下端から背面側斜め上方に傾斜して形成され、第６切込みの長さよりも長さが短い第７切込み（Ｋ６０ｂ、Ｋ６２ｂ、Ｋ６４ｂ）と、第６切込みの上端と第７切込みの上端間に形成された第１１折れ線（Ｃ１４，Ｃ１５，Ｃ１６）とで囲まれた領域により形成された第２仕切り支持部（６０、６２，６４）を有し、
仕切り部の第４突状部が本体部右側面部の第４切込みに差し込まれ、仕切り部の第５突状部が本体部左側面部の第６切込みに差し込まれて、仕切り部が引き出し部に固定され、仕切り部が引き出し部に固定された状態では、第４突状部及び第１仕切り部支持部は、左右方向には本体部右側面部の上端よりも左側面側にあり、第５突状部及び第２仕切り部支持部は、左右方向には本体部左側面部の上端よりも右側面側にあることを特徴とする請求項１又は２又は３又は４又は５又は６又は７又は８又は９に記載の包装箱。
【請求項１１】
引き出し部には、本体部底面部に敷設するための中敷き部で、前後方向に配列された複数の敷き板部（１８８、１９６、２０４）と、複数の敷き板部における隣接する敷き板部間に設けられた仕切り部（１９０、１９８）とを有し、１枚のシート状のブランクにより形成された中敷き部（１８６）が設けられ、
仕切り部が、隣接する２つの敷き板部の一方から折れ線（Ｃ４６、Ｃ５１）を介して連設された第１仕切り部本体（１９２、２０２）と、隣接する２つの敷き板部の他方から折れ線（Ｃ４７、Ｃ５０）を介して連設されるとともに、第１仕切り部本体から折れ線を介して連設された第２仕切り部本体（１９４、２００）とを有し、第１仕切り部本体と第２仕切り部本体とが第１仕切り部本体と第２仕切り部本体の上側において山折りすることにより仕切り部が立設し、
少なくとも１つの敷き板部が、右側面側の辺部から突出した第６突状部（１８８ｂ）と、左側面側の辺部から突出した第７突状部（１８８ｃ）とを有し、
本体部底面部と本体部右側面部との境界位置には、中敷き部の第６突状部を差し込むための第８切込み（Ｋ１３８）が形成され、本体部底面部と本体部左側面部との境界位置には、中敷き部の第７突状部を差し込むための第９切込み（Ｋ１４６）が形成されていることを特徴とする請求項１又は２又は３又は４又は５又は６又は７又は８又は９に記載の包装箱。
【請求項１２】
収納部が、一対の開口部における一方を閉塞するための蓋構成部（２６）を有し、引き出し部は、他方の開口を通して挿脱されることを特徴とする請求項１又は２又は３又は４又は５又は６又は７又は８又は９又は１０又は１１に記載の包装箱。
【請求項１３】
包装箱には一対の引き出し部が設けられ、一方の引き出し部は、収納部における一方の開口を通して挿脱され、他方の引き出し部は、収納部における他方の開口を通して挿脱され、一対の引き出し部における各引き出し部が、引き手部を外側にして収納部内に収納されることを特徴とする請求項１又は２又は３又は４又は５又は６又は７又は８又は９又は１０又は１１に記載の包装箱。
【請求項１４】
収納部上面部と収納部底面部における前後方向の端部領域で、引き出し部を収納部に収納した際に、引き手部が位置する領域には、切欠部（１６、２２、２１２、２１４、２２０、２２２）が設けられ、指で引き出し部を引き出す際に、該切欠部を介して指が引き手部に接することを特徴とする請求項１又は２又は３又は４又は５又は６又は７又は８又は９又は１０又は１１又は１２又は１３に記載の包装箱。
【手続補正２】
【補正対象書類名】明細書
【補正対象項目名】００１０
【補正方法】変更
【補正の内容】
【００１０】
また、第１角度と第２角度と第３角度と第４角度とが、略同一の大きさの鈍角の角度であるので、本体部右側面部と本体部左側面部の傾斜角度が略同一となって見た目がよい。また、引き出し部を出し入れする際に挟持するための引き手部を有することにより、引き出し部の出し入れを簡単に行なうことができ、引き手部上面部が本体部正面部に対して正面側に折り曲げられ、引き手部が本体部の外側の形成されていることにより、引き手部を収納部に嵌合可能とすることができるので、引き手部がストッパーとなって、引き出し部の収納部からの抜け落ちを防止することができる。
【手続補正３】
【補正対象書類名】明細書
【補正対象項目名】００１１
【補正方法】変更
【補正の内容】
【００１１】
また、第２には、上記第１の構成において、本体部右側面部が略台形形状であり、本体部右側面部の正面側の略直線状の辺部（４６ａ、１３６ａ、２４４ａ）が第１折れ線となす角度である第５角度（α１、α１１、α２９）が鈍角であり、本体部右側面部の背面側の略直線状の辺部（４６ｂ、１３６ｂ、２４４ｂ）が第１折れ線となす角度である第６角度（α２、α１２、α３０）が鈍角であり、本体部左側面部が略台形形状であり、本体部左側面部の正面側の略直線状の辺部（５８ａ、１４４ａ、２４６ａ）が第２折れ線となす角度である第７角度（α３、α１３、α３１）が鈍角であり、本体部左側面部の背面側の略直線状の辺部（５８ｂ、１４４ｂ、２４６ｂ）が第２折れ線となす角度である第８角度（α４、α１４、α３２）が鈍角であり、第５角度の大きさと第６角度の大きさと第７角度の大きさと第８角度の大きさとが、第１角度の大きさと略同一に形成されていることを特徴とする。第２の構成の包装箱においては、本体部右側面部の背面側の辺部と、本体部背面部の右側面側の辺部とを互いに当接させ、例えば本体部右側面部の背面側の辺部から連設した糊代部を本体部背面部の外側に接着し、また、本体部左側面部の背面側の辺部と、本体部背面部の左側面側の辺部とを互いに当接させ、例えば本体部左側面部の背面側の辺部から連設した糊代部を本体部背面部の外側に接着し、また、本体部右側面部の正面側の辺部と、本体部正面部の右側面側の辺部とを互いに当接させ、例えば本体部右側面部の正面側の辺部から連設した糊代部を本体部正面部の外側に接着し、また、本体部左側面部の正面側の辺部と、本体部正面部の左側面側の辺部とを互いに当接させ、例えば本体部左側面部の正面側の辺部から連設した糊代部を本体部正面部の外側に接着するだけで、本体部右側面部と本体部左側面部と本体部背面部と本体部正面部とが、略同一の角度で傾斜し、外観上のバランスがよい。
【手続補正４】
【補正対象書類名】明細書
【補正対象項目名】００１２
【補正方法】変更
【補正の内容】
【００１２】
また、第３には、上記第２の構成において、引き手部が、引き手部正面部の右側面側の辺部から第８折れ線（Ｃ２３）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α９）が鈍角である引き手部右側面部背面側辺部とを有する引き手部右側面部（８６）と、引き手部正面部の左側面側の辺部から第９折れ線（Ｃ２６）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α１０）が鈍角である引き手部左側面部背面側辺部とを有する引き手部左側面部（９２）と、引き手部右側面部の引き手部右側面部上辺部から折れ線を介して連設された第１片部（８８）と、引き手部右側面部の引き手部右側面部下辺部から折れ線を介して連設された第２片部（９０）と、引き手部左側面部の引き手部左側面部上辺部から折れ線を介して連設された第３片部（９４）と、引き手部左側面部の引き手部左側面部下辺部から折れ線を介して連設された第４片部（９６）と、を有し、第１突状部を第１切込みに差し込んで引き手部下面部の先端側を本体部に固定した状態において、第１片部と第３片部とが引き手部上面部の内側の面に接し、第２片部と第４片部とが引き手部下面部の内側の面に接し、第９角度及び第１０角度が、上記第５角度と略同一であることを特徴とする。第３の構成の包装箱においては、引き手部右側面部背面側辺部の傾斜角度と本体部右側面部の正面側の辺部の傾斜角度とが合致し、引き手部左側面部背面側辺部の傾斜角度と本体部左側面部の正面側の辺部の傾斜角度とが合致することにより、見た目がよい。
【手続補正５】
【補正対象書類名】明細書
【補正対象項目名】００１３
【補正方法】変更
【補正の内容】
【００１３】
また、第４には、上記第２の構成において、引き手部が、引き手部下面部の引き手部正面部とは反対側の辺部から折れ線を介して連設された補強フラップ（１８４）と、引き手部正面部の右側面側の辺部から第８折れ線（Ｃ４０）を介して連設された引き手部右側面部で、略台形状を呈し、引き手部正面部に対して背面側に折り曲げられ、第８折れ線に沿った辺部である引き手部右側面部正面側辺部と、第８折れ線の上部側の端部から連続して形成され略直線状を呈し第８折れ線に対して略直角な引き手部右側面部上辺部と、第８折れ線の下部側の端部から連続して形成され略直線状を呈し第８折れ線に対して略直角な引き手部右側面部下辺部と、引き手部右側面部上辺部の背面側の端部と引き手部右側面部下辺部の背面側の端部との間に形成され略直線状を呈し引き手部右側面部上辺部となす角度である第９角度（α１９）が鈍角である引き手部右側面部背面側辺部とを有する引き手部右側面部（１６８）と、引き手部正面部の左側面側の辺部から第９折れ線（Ｃ４２）を介して連設された引き手部左側面部で、略台形状を呈し、引き手部正面部に対して背面側に折り曲げられ、第９折れ線に沿った辺部である引き手部左側面部正面側辺部と、第９折れ線の上部側の端部から連続して形成され略直線状を呈し第９折れ線に対して略直角な引き手部左側面部上辺部と、第９折れ線の下部側の端部から連続して形成され略直線状を呈し第９折れ線に対して略直角な引き手部左側面部下辺部と、引き手部左側面部上辺部の背面側の端部と引き手部左側面部下辺部の背面側の端部との間に形成され略直線状を呈し引き手部左側面部上辺部となす角度である第１０角度（α２０）が鈍角である引き手部左側面部背面側辺部とを有する引き手部左側面部（１７２）と、引き手部右側面部の引き手部右側面部背面側辺部から折れ線を介して連設された第５片部（１７０）と、引き手部左側面部の引き手部左側面部背面側辺部から折れ線を介して連設された第６片部（１７４）と、を有し、第５片部と第６片部とが補強フラップに接着されており、第９角度及び第１０角度が、上記第５角度と略同一であることを特徴とする。第４の構成の包装箱においては、引き手部右側面部背面側辺部の傾斜角度と本体部右側面部の正面側の辺部の傾斜角度とが合致し、引き手部左側面部背面側辺部の傾斜角度と本体部左側面部の正面側の辺部の傾斜角度とが合致することにより、見た目がよい。また、第５片部と第６片部とが補強フラップに接着されているので、引き手部の形状を安定して維持することができる。
【手続補正６】
【補正対象書類名】明細書
【補正対象項目名】００１４
【補正方法】変更
【補正の内容】
【００１４】
また、第５には、上記第１から第４までのいずれかの構成において、本体部右側面部の正面側の辺部から折れ線を介して連設された糊代部（５６、１４２）が、本体部正面部の外側の面に接着され、本体部左側面部の正面側の辺部から折れ線を介して連設された糊代部（６８、１５０）が、本体部正面部の外側の面に接着され、本体部右側面部の背面側の辺部から折れ線を介して連設された糊代部（５４、１４０）が、本体部背面部の外側の面に接着され、本体部左側面部の背面側の辺部から折れ線を介して連設された糊代部（６６、１４８）が、本体部背面部の外側の面に接着されていることを特徴とする。
【手続補正７】
【補正対象書類名】明細書
【補正対象項目名】００１５
【補正方法】変更
【補正の内容】
【００１５】
また、第６には、上記第１から第４までのいずれかの構成において、本体部正面部の右側面側の辺部から折れ線を介して連設された糊代部（２６０）が、本体部右側面部の外側の面に接着され、本体部正面部の左側面側の辺部から折れ線を介して連設された糊代部（２６２）が、本体部左側面部の外側の面に接着され、本体部背面部の右側面側の辺部から折れ線を介して連設された糊代部（２５０）が、本体部右側面部の外側の面に接着され、本体部背面部の左側面側の辺部から折れ線を介して連設された糊代部（２５２）が、本体部左側面部の外側の面に接着されていることを特徴とする。
【手続補正８】
【補正対象書類名】明細書
【補正対象項目名】００１６
【補正方法】変更
【補正の内容】
【００１６】
また、第７には、上記第１から第６までのいずれかの構成において、引き手部正面部が、引き手部上面部の正面側から連設された引き手部正面部本体（８２、１６４、２７０）と、引き手部正面部本体の上部側の辺部から連設された第２突状部で、引き手部上面部との境界位置に第２切込み（Ｋ８４、Ｋ１６６、Ｋ２７２）を形成することにより設けられた第２突状部（８４、１６６、２７２）とを有し、収納部に収納された引き出し部を引き出す際に、第２突状部に指を係止して使用することを特徴とする。
【手続補正９】
【補正対象書類名】明細書
【補正対象項目名】００１７
【補正方法】変更
【補正の内容】
【００１７】
第７の構成の包装箱においては、第２突状部が、引き手部上面部よりも上方に突出しているので、第２突状部に指を掛けて、引き出し部を引き出すことができ、よりスムーズかつ簡単に引き出し部の出し入れができる。
【手続補正１０】
【補正対象書類名】明細書
【補正対象項目名】００１８
【補正方法】変更
【補正の内容】
【００１８】
また、第８には、上記第７の構成において、引き手部正面部が、引き手部正面部本体の下部側の辺部から連設された第３突状部で、引き手部下面部との境界位置に第３切込み（Ｋ２７４）を形成することにより設けられた第３突状部（２７４）とを有し、収納部に収納された引き出し部を引き出す際に、第３突状部に指を係止して使用することを特徴とする。
【手続補正１１】
【補正対象書類名】明細書
【補正対象項目名】００１９
【補正方法】変更
【補正の内容】
【００１９】
第８の構成の包装箱においては、第３突状部が、引き手部下面部よりも下方に突出しているので、第３突状部に指を掛けて、引き出し部を引き出すことができ、よりスムーズかつ簡単に引き出し部の出し入れができる。
【手続補正１２】
【補正対象書類名】明細書
【補正対象項目名】００２０
【補正方法】変更
【補正の内容】
【００２０】
また、第９には、上記第１から第７までのいずれかの構成において、引き手部正面部と引き手部下面部との境界位置には、穴部（１８２）が形成され、収納部に収納された引き出し部を引き出す際に、該穴部に指を係止して使用することを特徴とする。
【手続補正１３】
【補正対象書類名】明細書
【補正対象項目名】００２１
【補正方法】変更
【補正の内容】
【００２１】
第９の構成の包装箱においては、引き手部の正面側下部に穴部が形成されているので、穴部に指を掛けて、引き出し部を引き出すことができ、よりスムーズかつ簡単に引き出し部の出し入れができる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】